(57)【特許請求の範囲】
【請求項１】
セルラー通信ネットワーク（１０）において動作することを可能にした無線デバイス（２０）であって、
受信機を含む送受信機モジュール（３２）と、
１つまたは複数の処理回路を含む処理モジュール（３０）と、
前記処理モジュール（３０）によって実行可能な命令を格納するメモリモジュール（３６）とを備えることによって、
セルラー動作のために第１の時間区分を間欠受信（ＤＲＸ）周期内に、かつデバイスツーデバイス（Ｄ２Ｄ）動作のために第２の時間区分をＤＲＸ周期内に確定すること（１０２）であって、前記ＤＲＸ周期が、ダウンリンクセルラー動作およびＤ２Ｄ動作の両方に共通するものであり、前記第１の時間区分および前記第２の時間区分が、重なりのない時間区分である、確定すること（１０２）を行うように動作可能であり、
前記第１の時間区分が第１のＤＲＸ周期の第１のＤＲＸオン期間であり、前記第２の時間区分が第２のＤＲＸ周期の第２のＤＲＸオン期間である、
無線デバイス（２０）。
【請求項２】
前記第１の時間区分および前記第２の時間区分の前記確定が、
事前に定義された規則に基づいて、前記第１の時間区分および前記第２の時間区分を確定すること、
前記第１の時間区分および前記第２の時間区分を自律的に確定すること、
前記第１の時間区分および前記第２の時間区分を別のノードから受信したメッセージに基づいて確定すること、
前記第１の時間区分および前記第２の時間区分を、上位レイヤのシグナリングを介して受信した構成に基づいて確定すること、
前記第１の時間区分および前記第２の時間区分の一方または両方を適合させること、ならびに
前記第１の時間区分および前記第２の時間区分の一方または両方を構成すること
のうちの１つまたは複数を含む、請求項１に記載の無線デバイス（２０）。
【請求項３】
前記第１の時間区分が、ＤＲＸ周期におけるＤＲＸオン期間およびＤＲＸオフ期間の一方であり、前記第２の時間区分が、同じＤＲＸ周期における前記ＤＲＸオン期間および前記ＤＲＸオフ期間のもう一方である、請求項１に記載の無線デバイス（２０）。
【請求項４】
前記無線デバイス（２０）が、ダウンリンクセルラー動作のためのＤＲＸ周期をもつように構成され、前記第１の時間区分が、前記ダウンリンクセルラー動作のためのＤＲＸ周期のＤＲＸオン期間であり、前記第２の時間区分が、前記ダウンリンクセルラー動作のためのＤＲＸ周期のＤＲＸオフ期間である、請求項１に記載の無線デバイス（２０）。
【請求項５】
前記第１の時間区分が、前記共通ＤＲＸ周期のＤＲＸオフ期間およびＤＲＸオン期間の一方であり、前記第２の時間区分が、前記共通ＤＲＸ周期の前記ＤＲＸオン期間および前記ＤＲＸオフ期間のもう一方である、請求項１に記載の無線デバイス（２０）。
【請求項６】
前記第１の時間区分が前記共通ＤＲＸ周期の前記ＤＲＸオン期間であり、前記第２の時間区分が前記共通ＤＲＸ周期の前記ＤＲＸオフ期間である、請求項５に記載の無線デバイス（２０）。
【請求項７】
前記第１の時間区分および前記第２の時間区分が、ＤＲＸ周期のＤＲＸオン期間内の重なりのない時間区分である、請求項１に記載の無線デバイス（２０）。
【請求項８】
前記第１の時間区分に使用される前記ＤＲＸオン期間の時間量および前記第２の時間区分に使用される前記ＤＲＸオン期間の時間量がネットワークにより設定される、請求項７に記載の無線デバイス（２０）。
【請求項９】
前記第１の時間区分に使用される前記ＤＲＸオン期間の時間量および前記第２の時間区分に使用される前記ＤＲＸオン期間の時間量が前記無線デバイス（２０）によって自律的に決められる、請求項７に記載の無線デバイス（２０）。
【請求項１０】
以下の条件：
Ｔｍｉｎ≦ｔ≦Ｔｍａｘ、
の一方または両方が当てはまる時間（ｔ）によって前記第１の時間区分と前記第２の時間区分が時間的に隔てられるように、前記第１の時間区分および前記第２の時間区分が構成されており、式中、Ｔｍｉｎは事前に定義された最小限の時間量であり、Ｔｍａｘは事前に定義された最大限の時間量である、請求項１に記載の無線デバイス（２０）。
【請求項１１】
前記第１の時間区分および前記第２の時間区分は、事前に定義された順序が前記第１の時間区分と前記第２の時間区分の間で維持されるように構成される、請求項１に記載の無線デバイス（２０）。
【請求項１２】
前記第１の時間区分の間に実施される前記セルラー動作が、ダウンリンクセルラー信号の受信であり、前記第２の時間区分の間に実施される前記Ｄ２Ｄ動作が、Ｄ２Ｄ信号の受信である、請求項１に記載の無線デバイス（２０）。
【請求項１３】
前記第１と第２の時間区分が同じＤＲＸ周期内にある、請求項１に記載の無線デバイス（２０）。
【請求項１４】
前記ＤＲＸ周期が、ダウンリンクセルラーＤＲＸ周期と、ダウンリンクセルラー動作およびＤ２Ｄ動作の両方のための共通ＤＲＸ周期のうちの一方である、請求項１３に記載の無線デバイス（２０）。
【請求項１５】
セルラー通信ネットワーク（１０）において動作することを可能にした無線デバイス（２０）の動作方法であって、
セルラー動作のために第１の時間区分を間欠受信（ＤＲＸ）周期内に、かつデバイスツーデバイス（Ｄ２Ｄ）動作のために第２の時間区分をＤＲＸ周期内に確定すること（１０２）であって、前記ＤＲＸ周期が、ダウンリンクセルラー動作およびＤ２Ｄ動作の両方に共通するものであり、前記第１の時間区分および前記第２の時間区分が、重なりのない時間区分である、確定すること（１０２）を含み、
前記第１の時間区分が第１のＤＲＸ周期の第１のＤＲＸオン期間であり、前記第２の時間区分が第２のＤＲＸ周期の第２のＤＲＸオン期間である、方法。
【請求項１６】
前記第１の時間区分が、ＤＲＸ周期におけるＤＲＸオン期間およびＤＲＸオフ期間の一方であり、前記第２の時間区分が、同じＤＲＸ周期における前記ＤＲＸオン期間および前記ＤＲＸオフ期間のもう一方である、請求項１５に記載の方法。
【請求項１７】
セルラー通信ネットワーク（１０）のネットワークノード（１６）であって、
処理モジュール（４４）と、
前記処理モジュール（４４）によって実行可能な命令を格納するメモリモジュール（５０）とを備えることによって、前記ネットワークノード（１６）は、
無線デバイス（２０）のための１つまたは複数の間欠受信（ＤＲＸ）共有規則を決定すること（２００）であって、前記１つまたは複数のＤＲＸ共有規則が、セルラー動作およびＤ２Ｄ動作のための前記無線デバイス（２０）によって使用されるべき１つまたは複数のＤＲＸ周期内に重なりのない時間区分を定義する、決定すること（２００）と、
前記１つまたは複数のＤＲＸ共有規則をもつように前記無線デバイス（２０）を構成すること（２０２）と
を行うように動作可能であり、
前記ＤＲＸ周期が、ダウンリンクセルラー動作およびＤ２Ｄ動作の両方に共通するものであり、
前記重なりのない時間区分が、セルラー動作のための第１の時間区分およびＤ２Ｄ動作のための第２の時間区分を含み、前記１つまたは複数のＤＲＸ共有規則が、前記第１の時間区分が第１のＤＲＸ周期の第１のＤＲＸオン期間であり、前記第２の時間区分が第２のＤＲＸ周期の第２のＤＲＸオン期間であるという規則を含む、ネットワークノード（１６）。
【請求項１８】
前記処理モジュール（４４）による前記命令の実行を介して、前記ネットワークノード（１６）が、前記無線デバイス（２０）のための前記１つまたは複数のＤＲＸ共有規則を動的に適合させる（２０４）ようにさらに動作可能である、請求項１７に記載のネットワークノード（１６）。
【請求項１９】
前記１つまたは複数のＤＲＸ共有規則は、前記第１の時間区分がＤＲＸ周期におけるＤＲＸオン期間およびＤＲＸオフ期間の一方であり、前記第２の時間区分が同じＤＲＸ周期における前記ＤＲＸオン期間および前記ＤＲＸオフ期間のもう一方であるという規則を含む、請求項１７に記載のネットワークノード（１６）。
【請求項２０】
前記１つまたは複数のＤＲＸ共有規則が、前記第１の時間区分および前記第２の時間区分がＤＲＸ周期のＤＲＸオン期間内の重なりのない時間区分であるという規則を含む、請求項１７に記載のネットワークノード（１６）。
【請求項２１】
前記１つまたは複数のＤＲＸ共有規則は、以下の条件：
Ｔｍｉｎ≦ｔ≦Ｔｍａｘ、
の一方または両方が当てはまる時間（ｔ）によって前記第１の時間区分と前記第２の時間区分が時間的に隔てられるように、前記第１の時間区分および前記第２の時間区分が構成されているという規則を含み、式中、Ｔｍｉｎは事前に定義された最小限の時間量であり、Ｔｍａｘは事前に定義された最大限の時間量である、請求項１７に記載のネットワークノード（１６）。
【請求項２２】
前記１つまたは複数のＤＲＸ共有規則は、前記第１の時間区分および前記第２の時間区分が、前記第１の時間区分と前記第２の時間区分との間で事前に定義された順序が維持されるように構成されるという規則を含む、請求項１７に記載のネットワークノード（１６）。
【請求項２３】
前記ネットワークノード（１６）が、１つまたは複数の基準に基づいて、前記無線デバイス（２０）のための前記１つまたは複数のＤＲＸ共有規則を決定し（２００）、前記１つまたは複数の基準が、
−  セルラーおよび／またはＤ２Ｄトラフィックの量、
−  前記無線デバイス（２０）のバッテリ寿命および／または電力消費、
−  ＤＲＸ周期長、
−  オン期間の長さ、
−  Ｄ２Ｄ動作の機会、
−  前記無線デバイス（２０）の受信機機能、ならびに
−  前記無線デバイス（２０）のアクティビティ状態
からなる群のうちの少なくとも１つを含む、請求項１７から２２のいずれか一項に記載のネットワークノード（１６）。
【請求項２４】
セルラー通信ネットワーク（１０）のネットワークノード（１６）の動作方法であって、
無線デバイス（２０）のための１つまたは複数の間欠受信（ＤＲＸ）共有規則を決定すること（２００）であって、前記１つまたは複数のＤＲＸ共有規則が、セルラー動作およびＤ２Ｄ動作のための前記無線デバイス（２０）によって使用されるべき１つまたは複数のＤＲＸ周期内に重なりのない時間区分を定義する、決定すること（２００）と、
前記１つまたは複数のＤＲＸ共有規則をもつように前記無線デバイス（２０）を構成すること（２０２）と
を含み、
前記ＤＲＸ周期が、ダウンリンクセルラー動作およびＤ２Ｄ動作の両方に共通するものであり、
前記重なりのない時間区分が、セルラー動作のための第１の時間区分およびＤ２Ｄ動作のための第２の時間区分を含み、前記１つまたは複数のＤＲＸ共有規則が、前記第１の時間区分が第１のＤＲＸ周期の第１のＤＲＸオン期間であり、前記第２の時間区分が第２のＤＲＸ周期の第２のＤＲＸオン期間であるという規則を含む、方法。
【請求項２５】
前記１つまたは複数のＤＲＸ共有規則は、前記第１の時間区分がＤＲＸ周期におけるＤＲＸオン期間およびＤＲＸオフ期間の一方であり、前記第２の時間区分が同じＤＲＸ周期における前記ＤＲＸオン期間および前記ＤＲＸオフ期間のもう一方であるという規則を含む、請求項２４に記載の方法。
【請求項２６】
セルラー通信ネットワーク（１０）のネットワークノード（１６）であって、
処理モジュール（４４）と、
前記処理モジュール（４４）によって実行可能な命令を格納するメモリモジュール（５０）とを備えることによって、前記ネットワークノード（１６）は、
無線デバイス（２０）が、デバイスツーデバイス（Ｄ２Ｄ）信号、および／またはセルラー信号を受信するために間欠受信（ＤＲＸ）に構成されている、または構成されることになると判定すること（３００）、
前記無線デバイス（２０）が、Ｄ２Ｄ動作およびセルラー動作のための１つまたは複数のＤＲＸ周期において時間を共有しているか、または共有することが予想されると判定すること（３０２）、ならびに
前記無線デバイス（２０）が、Ｄ２Ｄ信号および／またはセルラー信号を受信するためにＤＲＸに構成されている、または構成されることになると判定し、かつ、前記無線デバイス（２０）が、Ｄ２Ｄ動作およびセルラー動作のための１つまたは複数のＤＲＸ周期において時間を共有しているか、または共有することが予想されると判定したときに、前記無線デバイス（２０）がＤ２Ｄ動作およびセルラー動作のための１つまたは複数のＤＲＸ周期において時間を共有できるように、既存のＤＲＸ周期構成を適合させる（３０４）か、または新たなＤＲＸ周期を構成すること
を行うように動作可能であり、
前記既存のＤＲＸ周期構成の適合または新たなＤＲＸ周期の構成が、ダウンリンクセルラー動作およびＤ２Ｄ動作の両方に共通し、かつ、セルラー動作およびＤ２Ｄ動作のための前記無線デバイス（２０）によって使用されるべき１つまたは複数のＤＲＸ周期内に重なりのない時間区分を定義するものであり、
前記重なりのない時間区分が、セルラー動作のための第１の時間区分およびＤ２Ｄ動作のための第２の時間区分を含み、前記第１の時間区分が第１のＤＲＸ周期の第１のＤＲＸオン期間であり、前記第２の時間区分が第２のＤＲＸ周期の第２のＤＲＸオン期間である、ネットワークノード（１６）。
【請求項２７】
前記既存のＤＲＸ周期構成の適合または新たなＤＲＸ周期の構成が、前記１つまたは複数のＤＲＸ周期のＤＲＸオン期間の適合を含む、請求項２６に記載のネットワークノード（１６）。
【請求項２８】
前記既存のＤＲＸ周期構成の前記適合または新たなＤＲＸ周期の構成が、少なくともＤ２Ｄ動作の機会を含む１つまたは複数の基準に基づく、請求項２６に記載のネットワークノード（１６）。
【請求項２９】
前記既存のＤＲＸ周期構成の適合または新たなＤＲＸ周期の構成が、Ｄ２Ｄ動作およびセルラー動作のための１つまたは複数のＤＲＸ周期内の重なりのない時間区分の間における、事前に定義された最小限の時間および事前に定義された最大限の時間のうちの少なくとも一方の適合を含む、請求項２６に記載のネットワークノード（１６）。
【請求項３０】
前記既存のＤＲＸ周期構成の適合または新たなＤＲＸ周期の構成が、Ｄ２Ｄ動作およびセルラー動作のための１つまたは複数のＤＲＸ周期内の重なりのない時間区分の順序づけの適合を含む、請求項２６に記載のネットワークノード（１６）。
【請求項３１】
セルラー通信ネットワーク（１０）のネットワークノード（１６）の動作方法であって、
無線デバイス（２０）が、デバイスツーデバイス（Ｄ２Ｄ）、および／またはセルラー信号を受信するために間欠受信（ＤＲＸ）に構成されている、または構成されることになると判定すること（３００）、
前記無線デバイス（２０）が、Ｄ２Ｄ動作およびセルラー動作のための１つまたは複数のＤＲＸ周期において時間を共有しているか、または共有することが予想されると判定すること（３０２）、ならびに
１つまたは複数の基準に基づいて、前記無線デバイス（２０）がＤ２Ｄ動作およびセルラー動作のための１つまたは複数のＤＲＸ周期において時間を共有できるように、既存のＤＲＸ周期構成を適合させる（３０４）か、または新たなＤＲＸ周期を構成すること
を含み、
前記既存のＤＲＸ周期構成の適合または新たなＤＲＸ周期の構成が、ダウンリンクセルラー動作およびＤ２Ｄ動作の両方に共通し、かつ、セルラー動作およびＤ２Ｄ動作のための前記無線デバイス（２０）によって使用されるべき１つまたは複数のＤＲＸ周期内に重なりのない時間区分を定義するものであり、
前記重なりのない時間区分が、セルラー動作のための第１の時間区分およびＤ２Ｄ動作のための第２の時間区分を含み、前記第１の時間区分が第１のＤＲＸ周期の第１のＤＲＸオン期間であり、前記第２の時間区分が第２のＤＲＸ周期の第２のＤＲＸオン期間である、方法。
【発明の詳細な説明】
【技術分野】
【０００１】
関連出願
本出願は、２０１４年８月１１日に出願された仮特許出願第６２／０３５６６４号、および２０１５年７月１０日に出願された特許出願第１４／７９６，５１６の利益を主張するものであり、これらの開示内容は、その全体が参照により本明細書に組み込まれている。
【０００２】
本開示の実施形態は無線通信の分野に関し、より詳細には、デバイスツーデバイス（Ｄ２Ｄ）動作とセルラー動作との間でユーザ機器デバイス（ＵＥ）受信機を共有する方法に関する。
【背景技術】
【０００３】
セルラー通信ネットワークにおけるデバイスツーデバイス（Ｄ２Ｄ）通信は、特に次世代ネットワークに関して、大きな関心を集めている。Ｄ２Ｄ通信はソースデバイスとターゲットデバイスとの間の通信であり、ソースデバイスとターゲットデバイスとはともに無線デバイス（たとえば、第３世代パートナーシッププロジェクト（３ＧＰＰ）用語ではユーザ機器デバイス（ＵＥ））である。Ｄ２Ｄ通信の潜在的な利点には、セルラーネットワークのオフロード、通信の高速化、関心対象の周辺の無線デバイス（たとえば、動作中の同じアプリケーション）に対する認識の向上、距離が短くなることによるリンクの高品質化などが含まれる。Ｄ２Ｄ通信の魅力的な用途には、ビデオストリーミング、オンラインゲーム、メディアダウンロード、ピアツーピア（Ｐ２Ｐ）、ファイル共有などがある。
【０００４】
Ｄ２Ｄ対応の無線デバイス（たとえば、Ｄ２Ｄ対応ＵＥ）は、（１）ダウンリンク（ＤＬ）搬送周波数のセルラー信号を受信し、同時に（２）他のＤ２Ｄ対応の無線デバイスのアップリンク（ＵＬ）搬送周波数のＤ２Ｄ信号を受信するように構成されていてもよい。ＵＬとＤＬの搬送周波数は、同じ周波数帯に属していても、異なる周波数帯に属していてもよい。Ｄ２Ｄ対応の無線デバイスは、Ｄ２Ｄ対応の無線デバイスにおける受信機リソースの量が制限されているため、両タイプの信号（すなわち、セルラー信号とＤ２Ｄ信号）を同時に受信できなくてもよい。受信機リソースは、無線フロントエンドリソース（たとえば、高周波（ＲＦ）電力増幅器、ＲＦフィルタなど）および／またはベースバンドリソース（たとえば、プロセッサ）、メモリなどを特徴とする。これにより、Ｄ２Ｄ対応の無線デバイスが、所与の時間に２つのタイプの動作の一方のみに対して自身の受信機リソースを効果的に使用できるシナリオ、すなわち、Ｄ２Ｄ対応の無線デバイスが、所与の時間にＤ２Ｄ動作またはセルラー動作のいずれかに対して自身の受信機リソースを使用できるシナリオになる。
【０００５】
所与の時間にＤＬセルラー信号のみ、またはＤ２Ｄ信号のみを受信できることによって、全体的なシステム性能が低下する。たとえば、Ｄ２Ｄ対応の無線デバイスは、Ｄ２Ｄ信号を受信している間に、セルラーリンク上のデータのスケジューリングに失敗することがある。ネットワークノード（たとえば、Ｄ２Ｄ対応の無線デバイスのサービング基地局）は、Ｄ２Ｄ受信であるためにＤ２Ｄ対応の無線デバイスがセルラーリンク上の一定のデータブロックを取り損ねたことに気づかない。したがって、そのような取り損ねたパケット／データブロックは、上位レイヤのプロトコル、たとえば無線リンク制御（ＲＬＣ）、インターネットプロトコル（ＩＰ）などによって受信失敗が検出された後にＤ２Ｄ対応の無線デバイスに再送される。これにより、パケット送信の遅延が増加し、セルラーＤＬスケジューリングチャネル（たとえば、物理ダウンリンク制御チャネル（ＰＤＣＣＨ））のリンク適合も質が低下する。取り損ねたＰＤＣＣＨを補うために、ネットワークはＰＤＣＣＨ用のリソース（たとえば、制御チャネルエレメントおよび／または送信電力）を増やすことがある。これは結果的により多くのＰＤＣＣＨ用リソースを消費することになり、セルラーＤＬキャパシティを低下させ、かつ／またはこうしたリソースエレメントへの干渉を増加させる。
【０００６】
上記を踏まえると、セルラーリンク上、さらにはＤ２Ｄリンク上における、Ｄ２Ｄ対応の無線デバイスによるデータ受信の損失を回避するか、または最小限にするためのシステムおよび方法が必要とされる。
【発明の概要】
【０００７】
異なるタイプの動作のために、デバイスツーデバイス（Ｄ２Ｄ）対応の無線デバイスについて構成された１つまたは複数の間欠受信（ＤＲＸ）周期内の重なりのない時間区分を利用するシステムおよび方法を開示する。いくつかの実施形態では、これらの異なるタイプの動作はセルラー動作とＤ２Ｄ動作であり、Ｄ２Ｄ対応の無線デバイスが、１つまたは複数のＤＲＸ周期内の重なりのない時間区分の中でセルラー動作およびＤ２Ｄ動作（たとえば、セルラー信号およびＤ２Ｄ信号の受信）を実施するようになっている。このように、たとえば、一度に１つのタイプの信号を受信することしかできないＤ２Ｄ対応の無線デバイスが、セルラー信号とＤ２Ｄ信号の両方を受信することを可能にしている。
【０００８】
いくつかの実施形態では、セルラー通信ネットワークにおいて動作することを可能にした無線デバイスが、セルラー動作のために第１の時間区分をＤＲＸ周期内に、かつＤ２Ｄ動作のために第２の時間区分をＤＲＸ周期内に確定するように構成されているか、または動作可能であり、第１の時間区分と第２の時間区分は重なりのない時間区分である。無線デバイスは、第１の時間区分の間にＤ２Ｄ動作を実施し、第２の時間区分の間にセルラー動作を実施するようにさらに構成されている。
【０００９】
いくつかの実施形態では、第１の時間区分および第２の時間区分の確定は、事前に定義された規則に基づいて、第１の時間区分および第２の時間区分を確定すること、第１の時間区分および第２の時間区分を自律的に確定すること、第１の時間区分および第２の時間区分を別のノードから受信したメッセージに基づいて確定すること、第１の時間区分および第２の時間区分を、上位レイヤのシグナリングを介して受信した構成に基づいて確定すること、第１の時間区分および第２の時間区分の一方または両方を適合させること、ならびに第１の時間区分および第２の時間区分の一方または両方を構成することのうちの１つまたは複数を含む。
【００１０】
いくつかの実施形態では、第１の時間区分は、ＤＲＸ周期におけるＤＲＸオン期間およびＤＲＸオフ期間の一方であり、第２の時間区分は、同じＤＲＸ周期におけるＤＲＸオン期間およびＤＲＸオフ期間のもう一方である。
【００１１】
いくつかの実施形態では、無線デバイスは、ダウンリンク（ＤＬ）セルラー動作のためのＤＲＸ周期をもつように構成され、第１の時間区分は、ＤＬセルラー動作のためのＤＲＸ周期のＤＲＸオン期間であり、第２の時間区分は、ＤＬセルラー動作のためのＤＲＸ周期のＤＲＸオフ期間である。
【００１２】
いくつかの実施形態では、無線デバイスは、ＤＬセルラー動作およびＤ２Ｄ動作の両方のための共通ＤＲＸ周期をもつように構成され、第１の時間区分は、共通ＤＲＸ周期のＤＲＸオフ期間およびＤＲＸオン期間の一方であり、第２の時間区分は、共通ＤＲＸ周期のＤＲＸオン期間およびＤＲＸオフ期間のもう一方である。いくつかの実施形態では、第１の時間区分は共通ＤＲＸ周期のＤＲＸオン期間であり、第２の時間区分は共通ＤＲＸ周期のＤＲＸオフ期間である。
【００１３】
いくつかの実施形態では、第１の時間区分は第１のＤＲＸ周期の第１のＤＲＸオン期間であり、第２の時間区分は第２のＤＲＸ周期の第２のＤＲＸオン期間である。
【００１４】
いくつかの実施形態では、第１の時間区分および第２の時間区分は、ＤＲＸ周期のＤＲＸオン期間内の重なりのない時間区分である。いくつかの実施形態では、第１の時間区分に使用されるＤＲＸオン期間の時間量および第２の時間区分に使用されるＤＲＸオン期間の時間量はネットワークにより設定される。いくつかの実施形態では、第１の時間区分に使用されるＤＲＸオン期間の時間量および第２の時間区分に使用されるＤＲＸオン期間の時間量は無線デバイスによって自律的に決められる。
【００１５】
いくつかの実施形態では、以下の条件：
Ｔｍｉｎ≦ｔ≦Ｔｍａｘ、
の一方または両方が当てはまる時間（ｔ）によって第１の時間区分と第２の時間区分が時間的に隔てられるように、第１の時間区分と第２の時間区分は構成されており、式中、Ｔｍｉｎは、事前に定義された最小限の時間であり、Ｔｍａｘは、事前に定義された最大限の時間である。
【００１６】
いくつかの実施形態では、第１の時間区分および第２の時間区分は、事前に定義された順序が第１の時間区分と第２の時間区分との間で維持されるように構成される。
【００１７】
いくつかの実施形態では、第１の時間区分の間に実施されるＤ２Ｄ動作はＤ２Ｄ信号の受信であり、第２の時間区分の間に実施されるセルラー動作はＤＬセルラー信号の受信である。
【００１８】
いくつかの実施形態では、第１と第２の時間区分は同じＤＲＸ周期内にある。いくつかの実施形態では、ＤＲＸ周期は、ＤＬセルラーＤＲＸ周期と、ＤＬセルラー動作およびＤ２Ｄ動作の両方のための共通ＤＲＸ周期のうちの一方である。
【００１９】
いくつかの実施形態では、第１と第２の時間区分は異なるＤＲＸ周期内にある。いくつかの実施形態では、異なるＤＲＸ周期のそれぞれは、ＤＬセルラーＤＲＸ周期と、ＤＬセルラー動作およびＤ２Ｄ動作の両方のための共通ＤＲＸ周期のうちの一方である。
【００２０】
無線デバイスの動作方法の実施形態も開示されている。
【００２１】
セルラー通信ネットワークのネットワークノードの実施形態も開示されている。いくつかの実施形態では、ネットワークは、無線デバイスのための１つまたは複数のＤＲＸ共有規則を決定するように構成されるか、または動作可能であり、１つまたは複数のＤＲＸ共有規則は、セルラー動作およびＤ２Ｄ動作のための無線デバイスによって使用されるべき１つまたは複数のＤＲＸ周期内に重なりのない時間区分を定義する。ネットワークノードは、１つまたは複数のＤＲＸ共有規則をもつように無線デバイスを構成するようにさらに構成される。
【００２２】
いくつかの実施形態では、ネットワークノードは、無線デバイスのための１つまたは複数のＤＲＸ共有規則を動的に適合させるようにさらに動作可能である。
【００２３】
いくつかの実施形態では、重なりのない時間区分は、セルラー動作のための第１の時間区分およびＤ２Ｄ動作のための第２の時間区分を含み、１つまたは複数のＤＲＸ共有規則は、第１の時間区分がＤＲＸ周期におけるＤＲＸオン期間およびＤＲＸオフ期間の一方であり、第２の時間区分が同じＤＲＸ周期におけるＤＲＸオン期間およびＤＲＸオフ期間のもう一方であるという規則を含む。
【００２４】
いくつかの実施形態では、重なりのない時間区分は、セルラー動作のための第１の時間区分およびＤ２Ｄ動作のための第２の時間区分を含み、１つまたは複数のＤＲＸ共有規則は、第１の時間区分が第１のＤＲＸ周期の第１のＤＲＸオン期間であり、第２の時間区分が第２のＤＲＸ周期の第２のＤＲＸオン期間であるという規則を含む。
【００２５】
いくつかの実施形態では、重なりのない時間区分は、セルラー動作のための第１の時間区分およびＤ２Ｄ動作のための第２の時間区分を含み、１つまたは複数のＤＲＸ共有規則は、第１の時間区分および第２の時間区分がＤＲＸ周期のＤＲＸオン期間内の重なりのない時間区分であるという規則を含む。
【００２６】
いくつかの実施形態では、重なりのない時間区分は、セルラー動作のための第１の時間区分およびＤ２Ｄ動作のための第２の時間区分を含み、１つまたは複数のＤＲＸ共有規則は、以下の条件：
Ｔｍｉｎ≦ｔ≦Ｔｍａｘ、
の一方または両方が当てはまる時間（ｔ）によって第１の時間区分と第２の時間区分が時間的に隔てられるように、第１の時間区分および第２の時間区分が構成されているという規則を含み、式中、Ｔｍｉｎは事前に定義された最小限の時間であり、Ｔｍａｘは事前に定義された最大限の時間である。
【００２７】
いくつかの実施形態では、重なりのない時間区分は、セルラー動作のための第１の時間区分およびＤ２Ｄ動作のための第２の時間区分を含み、１つまたは複数のＤＲＸ共有規則は、第１の時間区分および第２の時間区分が、第１の時間区分と第２の時間区分との間で事前に定義された順序が維持されるように構成されるという規則を含む。
【００２８】
いくつかの実施形態では、ネットワークノードは、１つまたは複数の基準に基づいて、無線デバイスのための１つまたは複数のＤＲＸ共有規則を決定し、１つまたは複数の基準は、セルラーおよび／またはＤ２Ｄトラフィックの量、無線デバイスのバッテリ寿命および／または電力消費、ＤＲＸ周期長、オン期間の長さ、Ｄ２Ｄ動作の機会、無線デバイスの受信機機能、ならびに無線デバイスのアクティビティ状態からなる群のうちの少なくとも１つを含む。
【００２９】
他の実施形態では、ネットワークノードは、無線デバイスが、Ｄ２Ｄ信号および／またはセルラー信号を受信するためにＤＲＸに構成されている、または構成されることになると判定すること、無線デバイスが、Ｄ２Ｄ動作およびセルラー動作のための１つまたは複数のＤＲＸ周期において時間を共有しているか、または共有することが予想されると判定すること、ならびに、無線デバイスが、Ｄ２Ｄ信号および／またはセルラー信号を受信するためにＤＲＸに構成されている、または構成されることになると判定し、かつ、無線デバイスが、Ｄ２Ｄ動作およびセルラー動作のための１つまたは複数のＤＲＸ周期において時間を共有しているか、または共有することが予想されると判定したときに、無線デバイスがＤ２Ｄ動作およびセルラー動作のための１つまたは複数のＤＲＸ周期において時間を共有できるように、既存のＤＲＸ周期構成を適合させるか、または新たなＤＲＸ周期を構成することを行うように構成されているか、または動作可能である。
【００３０】
いくつかの実施形態では、既存のＤＲＸ周期構成の適合または新たなＤＲＸ周期の構成は、１つまたは複数のＤＲＸ周期のＤＲＸオン期間の適合を含む。
【００３１】
いくつかの実施形態では、既存のＤＲＸ周期構成の適合または新たなＤＲＸ周期の構成は、少なくともＤ２Ｄ動作の機会を含む１つまたは複数の基準に基づく。
【００３２】
いくつかの実施形態では、既存のＤＲＸ周期構成の適合または新たなＤＲＸ周期の構成は、Ｄ２Ｄ動作およびセルラー動作のための１つまたは複数のＤＲＸ周期内の重なりのない時間区分の間における、事前に定義された最小限の時間および事前に定義された最大限の時間のうちの少なくとも一方の適合を含む。
【００３３】
いくつかの実施形態では、既存のＤＲＸ周期構成の適合または新たなＤＲＸ周期の構成は、Ｄ２Ｄ動作およびセルラー動作のための１つまたは複数のＤＲＸ周期内の重なりのない時間区分の順序づけの適合を含む。
【００３４】
ネットワークノードの動作方法の実施形態も開示されている。
【００３５】
当業者は、実施形態についての以下の詳細な説明を添付の図面と併せて読むと、本開示の範囲を認識し、そのさらに別の態様を理解することになろう。
【００３６】
本明細書に組み込まれ、その一部をなす添付の図面は、本開示のいくつかの態様を示しており、記述と併せて本開示の原理を明確に示す役割がある。
【図面の簡単な説明】
【００３７】
【図１】セルラー通信ネットワークにおける直接デバイスツーデバイスＤ２Ｄリンクを介した２つの無線デバイス間の直接（Ｄ２Ｄ）通信を示す図である。
【図２】セルラー通信ネットワークにおけるローカルにルーティングされたＤ２Ｄリンクを介した２つの無線デバイス間のローカルにルーティングされたＤ２Ｄ通信を示す図である。
【図３】セルラー通信ネットワークにおける２つの無線デバイス間の従来のセルラー通信を示す図である。
【図４】セルラー通信ネットワークについてのＤ２Ｄアーキテクチャの１つの例を示す図である。
【図５】Ｌｏｎｇ  Ｔｅｒｍ  Ｅｖｏｌｕｔｉｏｎ（ＬＴＥ）における間欠受信（ＤＲＸ）の１つの例を示す図である。
【図６】本開示のいくつかの実施形態によるセルラー動作およびＤ２Ｄ動作のためのＤＲＸの重なりのない時間区分の共有を示す図式である。
【図７】本開示のいくつかの実施形態によるセルラー動作およびＤ２Ｄ動作のためのＤＲＸの重なりのない時間区分の共有を示す図式である。
【図８】本開示のいくつかの実施形態によるセルラー動作およびＤ２Ｄ動作のためのＤＲＸの重なりのない時間区分の共有を示す図式である。
【図９】本開示のいくつかの実施形態によるセルラー動作およびＤ２Ｄ動作のためにＤＲＸの共有を実施するための無線デバイスの動作を示すフローチャートである。
【図１０】本開示のいくつかの実施形態によるＤＲＸ共有のために無線デバイスを構成するためのネットワークノードの動作を示すフローチャートである。
【図１１】本開示のいくつかの実施形態によるＤ２Ｄ動作およびセルラー動作のために無線デバイスによるＤＲＸ共有を可能にするようにＤＲＸを適合させるネットワークノードの動作を示すフローチャートである。
【図１２】本開示のいくつかの実施形態によるＤＲＸ共有に関連する機能情報を送信するための無線デバイスの動作を示す図である。
【図１３】無線デバイスの実施形態を示す図である。
【図１４】無線デバイスの実施形態を示す図である。
【図１５】基地局の実施形態を示す図である。
【図１６】基地局の実施形態を示す図である。
【発明を実施するための形態】
【００３８】
以下の実施形態は、当業者が実施形態を実践できるようにするための情報を表し、実施形態を実践するのに最適な形態を示す。以下の説明を添付の図面に照らして読めば、当業者は、本開示の概念を理解し、本明細書において具体的には取り上げていないこれらの概念の応用例を認識することになろう。これらの概念および応用例は本開示の範囲および添付の特許請求の範囲に含まれることを理解されたい。
【００３９】
以下の説明では、数多くの具体的な詳細事項が述べられる。しかしながら、本開示の実施形態は、そういった具体的な詳細事項なしでも実践に移せることが理解される。他の例において、よく知られている回路、構造、および技術は、本説明の理解を妨げることがないように、詳細には示していない。当業者は、ここに述べた説明により、過度の実験なしでも適切な機能性を実現できるようになる。
【００４０】
本明細書における「１つの実施形態」、「一実施形態」、「例示的な実施形態」などの表現は、記載された実施形態が特定の特徴、構造、または特性を含むことがあるが、すべての実施形態が特定の特徴、構造、または特性を必ずしも含むわけではないことを示す。さらに、上記の語句は、必ずしも同じ実施形態を指しているわけではない。また、特定の特徴、構造、または特性を一実施形態に関連して述べているとき、明示的に記載されているかどうかにかかわらず、これらが、他の実施形態に関連してそのような特徴、構造、または特性を実現するための当業者の知識の範囲内にあることを想定している。
【００４１】
以下の説明および特許請求の範囲では、用語「結合された（ｃｏｕｐｌｅｄ）」および「接続された（ｃｏｎｎｅｃｔｅｄ）」がこれらの派生語とともに使用されることがある。これらの用語は、互いの同義語としては意図されていないことを理解されたい。「結合された」は、２つ以上の要素が、互いに直接物理的または電気的に接し、協働し、または相互作用していても、あるいはしていなくてもよいことを示すために使用される。「接続された」は、互いに結合された２つ以上の要素間の連絡の確立を示すために使用される。
【００４２】
本開示は、セルラー動作およびＤ２Ｄ動作のために、デバイスツーデバイス（Ｄ２Ｄ）対応の無線デバイス（本明細書においては、Ｄ２Ｄ無線デバイス、または時としてＤ２Ｄユーザ機器デバイス（ＵＥ）と呼ばれることもある）について構成された１つまたは複数の間欠受信（ＤＲＸ）周期内の重なりのない時間区分を利用するシステムおよび方法に関する。先へ進む前に、本開示全体を通して使用される一部の用語を説明しておくことが有益である。
【００４３】
電子デバイス（たとえば、終端局またはネットワークデバイス）は、一時的でない機械可読媒体（たとえば、磁気ディスク、光ディスク、読み取り専用メモリ、フラッシュメモリデバイス、および相変化メモリなどの機械可読記憶媒体）などの機械可読媒体、ならびに一時的な機械可読伝送媒体（たとえば、搬送波および赤外線信号などの、電気、光、音、または他の形の伝搬される信号）を使用して、符号（ソフトウェア命令からなる）およびデータを（内部的に、かつ／またはネットワークを介して他の電子デバイスとの間で）格納し、また送信する。また、そのような電子デバイスには、（符号および／またはデータを格納する）１つまたは複数の一時的でない機械可読媒体、ユーザ入力／出力デバイス（たとえば、キーボード、タッチスクリーン、および／またはディスプレイ）、ならびに（伝搬信号を使用して符号および／またはデータを送信する）ネットワーク接続部などの１つまたは複数の他の構成要素に結合された１つまたは複数のプロセッサの組などのハードウェアが含まれる。プロセッサおよび他の構成要素の組の結合は、典型的には、１つまたは複数のバスおよびブリッジ（バスコントローラとも称される）を介している。したがって、所与の電子デバイスの一時的でない機械可読媒体は、典型的には、その電子デバイスの１つまたは複数のプロセッサで実行するための命令を格納する。本開示の一実施形態の１つまたは複数の部分は、ソフトウェア、ファームウェア、および／またはハードウェアの異なる組み合わせを使用して実現してもよい。
【００４４】
本明細書で使用されるネットワークデバイスまたは装置（たとえば、ルータ、スイッチ、またはブリッジ）は、ハードウェアおよびソフトウェアを含むネットワーキング機器の一部であり、ネットワーク上の他の機器（たとえば、他のネットワークデバイスおよび終端局）と通信可能に相互接続する。いくつかのネットワークデバイスは、複数のネットワーキング機能（たとえば、ルーティング、ブリッジ接続、スイッチング、レイヤ２アグリゲーション、セッションボーダー制御、サービス品質（ＱｏＳ）、および／もしくは加入者管理）のためのサポートを提供し、かつ／または複数のアプリケーションサービス（たとえば、データ、音声、およびビデオ）のためのサポートを提供する「複数のサービスネットワークデバイス」である。加入者終端局（たとえば、サーバ、ワークステーション、ラップトップ、ネットブック、パームトップ、移動体電話、スマートフォン、マルチメディアフォン、ボイスオーバーインターネットプロトコル（ＶｏＩＰ）電話、ＵＥ、端末、ポータブルメディアプレーヤ、全地球測位システム（ＧＰＳ）ユニット、ゲーミングシステム、およびセットトップボックス）は、インターネットに重ねた（たとえば、トンネル開通した）仮想私設ネットワーク（ＶＰＮ）上で提供されるインターネットサービスおよび／またはコンテンツ／サービスを介して提供されるコンテンツ／サービスにアクセスする。コンテンツおよび／またはサービスは、サービスもしくはコンテンツプロバイダに属する１つもしくは複数の終端局（たとえば、サーバ終端局）またはピアツーピア（Ｐ２Ｐ）サービスに加わっている終端局によって典型的には提供され、たとえば、公開ウェブページ（たとえば、フリーコンテンツ、店頭、または検索サービス）、非公開ウェブページ（たとえば、ｅメールサービスを提供するウェブページにアクセスするユーザ名／パスワード）、および／またはＶＰＮを介した企業ネットワークを含むことがある。典型的には、加入者終端局は、（たとえば、アクセス網に（有線または無線で）結合された顧客の構内設備を介して）エッジネットワークデバイスに結合され、エッジネットワークデバイスは、（たとえば、１つまたは複数のコアネットワークデバイスを介して）他のエッジネットワークデバイスに結合され、このエッジネットワークデバイスは、他の終端局（たとえば、サーバ終端局）に結合されている。当業者は、任意のネットワークデバイス、終端局、または他のネットワーク装置が本明細書に記載の機能を実施できることを理解するであろう。
【００４５】
Ｄ２Ｄ：本明細書で使用される用語であるＤ２Ｄ、近傍サービス（ＰｒｏＳｅ）、また「Ｐ２Ｐ」通信は、互換可能に使用されることがある。
【００４６】
Ｄ２Ｄデバイス：本明細書で使用されるＤ２Ｄデバイス、または本明細書のいくつかの実施形態における互換可能な呼称のＤ２Ｄ無線デバイスもしくはＤ２Ｄ  ＵＥは、直接無線リンク上で、すなわち、Ｄ２Ｄデバイスと別のＤ２Ｄデバイスまたはエンティティとの間で無線信号を少なくとも受信または送信することが可能な任意のデバイスである。Ｄ２Ｄデバイス（またはＤ２Ｄ対応デバイス）はまた、セルラーＵＥ、携帯情報端末（ＰＤＡ）、ラップトップ、移動体電話、センサ、中継器、Ｄ２Ｄ中継器、またはＵＥのようなインターフェースを用いる小型の基地局（たとえば、低出力または小型のセル基地局）にさえも含まれることがある。Ｄ２Ｄデバイス、またはＤ２Ｄ対応デバイスは、少なくとも１つのＤ２Ｄ動作をサポートすることが可能である。
【００４７】
Ｄ２Ｄ動作：本明細書で使用されるＤ２Ｄ動作は、Ｄ２Ｄに関連する任意の行動またはアクティビティ、たとえば、Ｄ２Ｄ目的での信号／チャネルタイプの送信もしくは受信、Ｄ２Ｄ通信によるデータの送信もしくは受信、Ｄ２Ｄ目的での制御もしくは補助データの送信もしくは受信、Ｄ２Ｄのための制御もしくは補助データに対する要求の送信もしくは受信、Ｄ２Ｄ動作モードの選択、Ｄ２Ｄ動作の起動／開始、セルラー動作モードからＤ２Ｄ動作モードへのスイッチング、またはＤ２Ｄ用の１つもしくは複数のパラメータでの受信機もしくは送信機の構成が含まれることがある。Ｄ２Ｄ動作は、Ｄ２Ｄに関連するデータを使用した商業目的のものであっても公安をサポートするためのものであってもよい。Ｄ２Ｄ動作は、あるＤ２Ｄサービスに特有なものであっても、そうでなくてもよい。
【００４８】
Ｄ２Ｄ受信動作：本明細書で使用されるＤ２Ｄ受信動作は、ある例においてはＤ２Ｄ受信動作以外を伴うこともあるＤ２Ｄ動作に含まれていてもよい。
【００４９】
セルラー動作：本明細書で使用されるセルラー動作（無線デバイスまたはＵＥによる）は、セルラーネットワーク（任意の１つまたは複数の無線アクセス技術（ＲＡＴ））に関連する任意の行動またはアクティビティを含んでいてもよい。セルラー動作のいくつかの例は、無線信号送信、無線信号受信、無線測定の実施、およびセルラーネットワークに関連する移動動作または無線リソース管理（ＲＲＭ）の実施であってもよい。
【００５０】
Ｄ２Ｄ送信：本明細書で使用されるＤ２Ｄ送信は、Ｄ２Ｄデバイスによる任意の送信である。Ｄ２Ｄ送信のいくつかの例は、物理信号または物理チャネル、専用または共通／共有信号、たとえば、参照信号、同期信号、発見チャネル、制御チャネル、データチャネル、ブロードキャストチャネル、ページングチャネル、スケジューリング割り当て（ＳＡ）送信などである。直接無線リンクでのＤ２Ｄ送信は、別のＤ２Ｄデバイスによる受信が意図されている。Ｄ２Ｄ送信は、ユニキャスト、グループキャスト、またはブロードキャスト送信であってもよい。Ｄ２Ｄ送信は、無線通信システムのアップリンク（ＵＬ）時間−周波数リソースで行われてもよい。
【００５１】
調整ノード：本明細書で使用される調整ノードは、セルラー送信とＤ２Ｄ送信の少なくとも一方に使用されるべき時間−周波数リソースをスケジューリングする、少なくとも部分的に決める、または選択するノードである。調整ノードはまた、別のノード、たとえば別のＤ２Ｄデバイス、クラスタヘッド、発展もしくは拡張Ｎｏｄｅ−Ｂ（ｅＮＢ）などの無線ネットワークノード、またはネットワークノード（たとえば、コアネットワークノード）にスケジューリング情報を提供することもできる。調整ノードは、無線ネットワークノードと通信することができる。
【００５２】
無線スペクトル：実施形態の少なくとも一部は、ＵＬスペクトル（たとえば、周波数分割複信（ＦＤＤ））またはＵＬリソース（たとえば、時分割二重通信（ＴＤＤ））でのＤ２Ｄ送信について記載されているが、本明細書において開示される実施形態は、ＵＬ無線リソースの使用には限定されず、ライセンススペクトルにもアンライセンススペクトルにも、任意の具体的なスペクトルにもまったく限定されない。
【００５３】
セルラーネットワーク：本明細書においてはセルラー通信ネットワークと互換可能に称されるセルラーネットワークは、たとえば、Ｌｏｎｇ  Ｔｅｒｍ  Ｅｖｏｌｕｔｉｏｎ（ＬＴＥ）ネットワーク（たとえば、ＦＤＤまたはＴＤＤ）、ユニバーサル地上無線アクセス（ＵＴＲＡ）ネットワーク、符号分割多元接続（ＣＤＭＡ）ネットワーク、ＷｉＭＡＸ、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）ネットワーク、またはセルラー動作のために任意の１つもしくは複数のＲＡＴを利用する任意のネットワークを含んでいてもよい。本明細書において述べられる実施形態の多くについての説明はＬＴＥに焦点を当てており、したがって、ＬＴＥ用語がよく使用される。ただし、本明細書に記載の実施形態は、ＬＴＥ  ＲＡＴには限定されない。
【００５４】
ＲＡＴ：ＲＡＴの例には、たとえば、ＬＴＥ（ＦＤＤまたはＴＤＤ）、ＧＳＭ、ＣＤＭＡ、広帯域ＣＤＭＡ（ＷＣＤＭＡ）、ＷｉＦｉ、ワイヤレスローカルエリアネットワーク（ＷＬＡＮ）、ＷｉＭＡＸ、などが含まれる。
【００５５】
ネットワークノード：本明細書で使用されるネットワークノードは、無線ネットワークノードまたは別のネットワークノードであってもよい。無線ネットワークノードのいくつかの例は、無線基地局、中継ノード、アクセスポイント、クラスタヘッド、無線ネットワーク制御装置（ＲＮＣ）などであってもよい。無線ネットワークノードは無線通信ネットワークに含まれ、セルラー動作をサポートすることもできる。無線ネットワークノードではないネットワークノードの一部の例には、コアネットワークノード、移動管理エンティティ（ＭＭＥ）、少なくとも部分的に無線デバイスの移動を制御するノード、自己組織化ネットワーク（ＳＯＮ）ノード、運用保守（Ｏ＆Ｍ）ノード、ポジショニングノード、サーバ、アプリケーションサーバ、Ｄ２Ｄサーバ（すべてではなく一部のＤ２Ｄ関連の特徴に対応可能であってもよい）、ＰｒｏＳｅ機能を含むノード、ＰｒｏＳｅサーバ、外部ノード、または別のネットワークに含まれるノードがある。
【００５６】
複数の搬送周波数：複数の搬送周波数は、同じ周波数帯または異なる周波数帯にある異なる搬送周波数と、同じ公衆地上移動体通信網（ＰＬＭＮ）または異なるＰＬＭＮと、同じＲＡＴまたは異なるＲＡＴとの任意の組み合わせを指すことがある。Ｄ２Ｄ動作は、専用搬送周波数で生じても生じなくてもよい。ＦＤＤにおけるダウンリンク（ＤＬ）およびＵＬ搬送周波数は、異なる搬送周波数の例でもある。本明細書における周波数帯は、ＦＤＤ、ＴＤＤ、半二重ＦＤＤ（ＨＤ−ＦＤＤ）、または一方向（たとえば、一部の例ではバンド２９などのＤＬのみの帯域）さえもあり得る。
【００５７】
Ｄ２Ｄ通信：本明細書で使用されるＤ２Ｄ通信は、少なくともソースＤ２ＤデバイスとターゲットＤ２Ｄデバイスとの間のＤ２Ｄリンクを介した通信である。Ｄ２Ｄ通信は、ソースＤ２Ｄデバイスと宛先Ｄ２Ｄデバイスとの間の直接Ｄ２Ｄリンクを介して、またはソースＤ２Ｄデバイスと宛先Ｄ２Ｄデバイスとの間のローカルにルーティングされたＤ２Ｄリンクを介して行うことができる。
【００５８】
直接Ｄ２Ｄリンク：本明細書で使用される直接Ｄ２Ｄリンクは、いずれの中間ノードも通らない、ソースＤ２ＤデバイスとターゲットＤ２Ｄデバイスとの間のリンクである（すなわち、リンクはソースＤ２ＤデバイスからターゲットＤ２Ｄデバイスに直接つながっている）（一例として図１参照）。
【００５９】
ローカルにルーティングされたＤ２Ｄリンク：本明細書で使用される、ローカルにルーティングされたＤ２Ｄリンクは、コアネットワークを通らずに共通の無線アクセスノードを通る、ソースＤ２ＤデバイスとターゲットＤ２Ｄデバイスとの間のリンクである（一例として図２参照）。
【００６０】
図１および図２は、セルラー通信ネットワーク１０におけるＤ２Ｄ通信の例を示す。対照的に、図３は、セルラー通信ネットワーク１０における２つの無線デバイス間の従来の通信を示す。具体的には、図１から図３までに示すように、セルラー通信ネットワーク１０は、無線アクセスネットワーク（ＲＡＮ）１２（たとえば、発展または拡張ユニバーサル地上無線アクセスネットワーク（Ｅ−ＵＴＲＡＮ））およびコアネットワーク１４（たとえば、発展または拡張パケットコア（ＥＰＣ））を含む。ＲＡＮ１２はいくつかの基地局１６を含み、これらは、第３世代パートナーシッププロジェクト（３ＧＰＰ）のＬＴＥではｅＮＢである。基地局１６は、本明細書では無線ネットワークノードまたは無線アクセスノードと呼ばれる、ＲＡＮ１２におけるノードの例にすぎないことに留意されたい。無線ネットワークノードの他の例には、リモート無線ヘッド（ＲＲＨ）などがある。コアネットワーク１４はいくつかのコアネットワークノードを含み、コアネットワークノードは、この例ではサービングゲートウェイ（ＳＧＷ）／パケット、またはパケットデータネットワーク、ゲートウェイ（ＰＧＷ）１８を含む。
【００６１】
図１は、直接Ｄ２Ｄリンクを介した２つの無線デバイス２０（たとえばＵＥ）間の直接Ｄ２Ｄ通信（すなわち、直接データ経路）を示す。対照的に、図２は、ローカルにルーティングされたＤ２Ｄリンクを介した２つの無線デバイス２０間のローカルにルーティングされたＤ２Ｄ通信を示す。図示されているように、ローカルにルーティングされたＤ２Ｄ通信は、コアネットワーク１４を通らずに基地局１６を介してルーティングされる。言い換えれば、無線デバイス２０のうちの一方からのＤ２Ｄ送信（すなわち、データ経路）が、その無線デバイス２０から基地局１６に送られ、次いで基地局１６から他方の無線デバイス２０にコアネットワーク１４を通らずに送られる。図１および図２のＤ２Ｄ通信とは対照的に、図３は、２つの無線デバイス２０間の従来のセルラー通信を示しており、ソース無線デバイス２０からの送信が、ソース無線デバイス２０から、ソース無線デバイス２０にサービス提供する基地局１６に送られ、ソース無線デバイス２０にサービス提供する基地局１６から、コアネットワーク１４を介して、ターゲットまたは宛先無線デバイス２０にサービス提供する基地局１６に送られ、次いでターゲットまたは宛先無線デバイス２０にサービス提供する基地局１６からターゲット／宛先無線デバイス２０に送られる。
【００６２】
種々のノード間のインターフェースを含むＤ２Ｄアーキテクチャの例を図４に示す。この例では、アーキテクチャは３ＧＰＰ  ＬＴＥアーキテクチャであり、そのためＬＴＥ用語が使用されている。図に示すように、ＵＥ２０は、対応するＬＴＥ−Ｕｕインターフェースを介してＥ−ＵＴＲＡＮ１２に接続される。Ｅ−ＵＴＲＡＮ１２は、ＳＩインターフェースを介してＥＰＣ１４に接続される。ＵＥ２０は、直接Ｄ２Ｄリンクを介したＵＥ２０間のＤ２Ｄ通信を可能にするＰｒｏＳｅアプリケーション（ＡＰＰ）２２を含む。この直接Ｄ２Ｄリンクは、図４においてＰＣ５インターフェースと称されるインターフェースを介して提供される。直接Ｄ２Ｄリンクは、Ｅ−ＵＴＲＡＮ１２のアップリンク時間および／もしくは周波数リソース、Ｅ−ＵＴＲＡＮ１２のＤＬ時間および／もしくは周波数リソース、またはＥ−ＵＴＲＡＮ１２によって利用されていない時間および／もしくは周波数リソース（たとえば、非ライセンススペクトル）を使用することができる。この例では、ＵＥ２０の一方は、図４ではそれぞれＰＣ１およびＰＣ３インターフェースと称されるインターフェースを介して、ＰｒｏＳｅ  ＡＰＰサーバ２４およびＰｒｏＳｅ機能２６にも接続される。ＰｒｏＳｅ  ＡＰＰサーバ２４およびＰｒｏＳｅ機能２６は、ＵＥ２０間のＤ２Ｄ通信に関連するサーバ側の機能性を提供することができる。いくつかの実施形態では、ＰＣ１およびＰＣ３インターフェース用の通信は、Ｅ−ＵＴＲＡＮ１２およびＥＰＣ１４を通ってトランスポートされるが、Ｅ−ＵＴＲＡＮ１２およびＥＰＣ１４に対してトランスペアレントである。ＥＰＣ１４は、ＳＧｉインターフェースを介してＰｒｏＳｅ  ＡＰＰサーバ２４に接続され、ＰＣ４インターフェースを介してＰｒｏＳｅ機能２６に接続される。ＰｒｏＳｅ  ＡＰＰサーバ２４とＰｒｏＳｅ機能２６はＰＣ２インターフェースを介して接続される。最後に、ＰｒｏＳｅ機能２６は、ＰｒｏＳｅ機能２６の内部構成要素間の通信のためにＰＣ６インターフェースを使用することができる。
【００６３】
異なる動作（すなわち、セルラー動作およびＤ２Ｄ動作）のためのＤＲＸにおける重なりのない時間区分の共有に関するシステムおよび方法が提供される。本開示の実施形態を説明する前に、ＤＲＸを説明しておくことが有益である。
【００６４】
ＬＴＥにおいて、ＤＲＸは、無線デバイス（またはＵＥ）２０のバッテリ残量を節約するための主要解決策の１つとして導入されてきた。ＤＲＸは以下を特徴とする：
・ＵＥ機構ごと（無線ベアラごととは対照的）、
・ＲＲＣ＿ＩＤＬＥおよびＲＲＣ＿ＣＯＮＮＥＣＴＥＤで使用することができる。ＲＲＣ＿ＣＯＮＮＥＣＴＥＤでは、ｅＮＢ／ＵＥが、送信／受信されるべき目立つ／新たなパケットがないときにＤＲＸモードを起動することができる。ＲＲＣ＿ＩＤＬＥ状態（別名アイドルモード）では、第２世代（２Ｇ）および第３世代（３Ｇ）の端末が、バッテリ寿命を延ばすためにＤＲＸを使用する。高速パケットアクセス（ＨＳＰＡ）およびＬＴＥは、ＲＲＣ接続状態についてもＤＲＸを導入している。
・利用可能なＤＲＸ周期の値はネットワークによって制御され、非ＤＲＸから始まり最大でｘ秒であり、ｘはＬＴＥでは２．５６秒、ＵＴＲＡでは５．１２秒であり得る。
・データ送信に関連するハイブリッド自動再送要求（ＨＡＲＱ）動作はＤＲＸ動作とは独立しており、ＵＥは、物理ダウンリンク制御チャネル（ＰＤＣＣＨ）を読み取って、可能性のある再送および／または肯定応答／否定応答（ＡＣＫ／ＮＡＫ）シグナリングの有無を調べるために、ＤＲＸにかかわらず稼動状態になる。ＤＬでは、ＵＥが再送を待って稼動状態にある時間を制限するためにタイマが使用される。
・ＤＲＸが構成されると、ＵＥは、「オン期間」タイマをもつようにさらに構成されてもよく、この時間の中で、ＵＥはＰＤＣＣＨを監視して可能性のある割り当ての有無を調べる。
・ＤＲＸが構成されると、定期的な継続的品質改善（ＣＱＩ）レポートが、「アクティブ時間」の間にのみＵＥによって送られ得る。無線リソース制御（ＲＲＣ）はさらに、定期的なＣＱＩレポートを制限することでオン期間にのみ送られるようにすることができる。
・ｅＮＢは、スリープモード中はパケットをＵＥに送信しない。
【００６５】
ＲＲＣ＿ＣＯＮＮＥＣＴＥＤモードのＤＲＸはアイドルモードのＤＲＸと混同されるべきではなく、後者では、電波インターフェースイナクティビティの長い時間の後にＵＥが立ち上げられる。ＲＲＣアイドルモードのＤＲＸはページングＤＲＸとしても知られており、これはすなわち、ＵＥが再稼動し、ＲＲＣ＿ＣＯＮＮＥＣＴＥＤ状態に戻るためのコマンドを含み得る２つのページングメッセージの間にＵＥがスリープ状態になれる時間である。ＲＲＣアイドルモードのＤＲＸはあまり細分化されておらず、単位は数百ミリ秒または秒の場合さえある。
【００６６】
Ｅ−ＵＴＲＡＮでは以下の定義がＤＲＸに適用される：
・オン期間：「オン期間」（本明細書において、時としてオン期間またはＤＲＸオン期間と呼ばれる）は、ＵＥが、ＤＲＸから稼動状態になった後、ＰＤＣＣＨを受信するために待機するＤＬサブフレーム内の期間である。ＵＥがＰＤＣＣＨの復号に成功した場合、ＵＥは稼動状態のままとなり、イナクティビティタイマをスタートさせる。
・イナクティビティタイマ：「イナクティビティタイマ」は、直近のＰＤＣＣＨ復号成功から、ＵＥがＰＤＣＣＨの復号成功のために待機するＤＬサブフレーム内の期間であり、失敗した場合、ＵＥは再びＤＲＸ（ＤＲＸオフ状態）になる。ＵＥは、最初の送信について（すなわち、再送についてではない）の１回のＰＤＣＣＨ復号成功に続けて、イナクティビティタイマを再スタートさせるものとする。
・アクティブ時間：「アクティブ時間」はＵＥが稼動状態にある期間全体である。アクティブ時間は、ＤＲＸ周期のオン期間と、ＵＥが連続受信を実施しつつイナクティビティタイマが続いている時間と、１つのＨＡＲＱラウンドトリップタイム（ＲＴＴ）の後、ＵＥがＤＬ再送のために待機しつつ連続受信を実施している時間とを含む。上記に基づいて、最短アクティブ時間はオン期間と等しい長さであり、最長アクティブ時間は不定（無限）である。
上記のパラメータのうち、ＤＲＸオン期間およびイナクティビティタイマは固定長であり、アクティブ時間は、スケジューリングの確定およびＵＥの復号成功に基づいた可変長である。オン期間およびイナクティビティタイマ期間のみが、ｅＮＢによってＵＥに知らされる。
【００６７】
任意の時間にＵＥ２０に適用されるＤＲＸ構成が１つだけある。ＵＥ２０は、ＤＲＸスリープ（すなわち、ＤＲＸオフ状態）から稼動状態になると、オン期間を適用するものとする。
【００６８】
ＬＴＥにおけるＤＲＸモードを図５に示す。ＤＲＸは、ＤＲＸとして知られているイナクティビティ時間によって誘発される。図５から分かるように、ＵＥ２０のアクティビティ時間は、ＤＲＸオン期間にＰＤＣＣＨが受信された場合に延長することができる。ただし、ＵＥ２０のアクティビティ時間は、媒体アクセス制御（ＭＡＣ）ＤＲＸコマンドによって短縮されることもあり、これを受信すると、ＵＥ２０はＤＲＸオン期間タイマおよびＤＲＸイナクティビティタイマをストップする。図５に示した特定の例では、ＵＥ２０は最初は稼動状態（すなわち、ＤＲＸオン状態）である。ＤＲＸオン期間が終わる前に、ＵＥ２０はＰＤＣＣＨの復号を成功させ、これに応答して、イナクティビティタイマをスタートする。イナクティビティタイマが終わる前に、ＵＥ２０は、別のＰＤＣＣＨの復号を成功させ、これに応答して、イナクティビティタイマをリセットする。このとき、イナクティビティタイマは、任意の新たなＰＤＣＣＨがＵＥ２０によって首尾よく復号される前に終わる。したがって、ＵＥ２０はＤＲＸに入る。具体的には、イナクティビティタイマが動いていないとき、ＵＥ２０は、ＤＲＸオン期間の間ＤＲＸオン状態でいることによってＤＲＸ周期を始める。ＤＲＸオン期間にＰＤＣＣＨがＵＥ２０によって首尾よく復号されると、ＵＥ２０はＤＲＸオフ状態に遷移し、ここではＵＥ２０はスリープ状態となる。ＵＥ２０は、次のＤＲＸ周期が始まるまで、ＤＲＸオフ状態のままである。
【００６９】
本明細書において開示された実施形態は、以下を対象とする：
・ＤＲＸにおける異なる動作タイプの間で時間を共有するためのＵＥ２０およびＵＥ２０の動作方法の実施形態、
・ＤＬセルラー動作および／またはＤ２Ｄ動作を可能にするようにＤＲＸを適合させるためのネットワークノード（たとえば、基地局もしくはｅＮＢ１６または一部の他のネットワークノード）およびネットワークノードの動作方法の実施形態、
・ＤＬセルラー動作および／またはＤ２Ｄ動作を可能にするためのネットワークノード（たとえば、基地局もしくはｅＮＢ１６または一部の他のネットワークノード）およびネットワークノードの動作方法の実施形態、ならびに
・ＤＲＸにおいて異なる動作タイプの間で時間を共有することに関連するシグナリング機能のためのＵＥ２０およびＵＥ２０の動作方法の実施形態。
【００７０】
本明細書に記載の実施形態の例示的な利点として、Ｄ２Ｄ信号とセルラー信号を同時に受信できないＤ２Ｄ対応ＵＥ（たとえばＵＥ２０）は、ＵＥがＤＲＸ周期における重なりのない時間にＤ２Ｄ動作とセルラー動作を実施できるようにするために、ネットワークノード（たとえばｅＮＢ１６）によって、ＤＲＸ周期をもつように構成される。ＵＥは、ＤＲＸ周期における重なりのない時間にＤ２Ｄ動作とセルラー動作の両方を実施するための時間共有機構または規則のうちの１つをもつようにさらに構成されていてもよい。
【００７１】
いくつかの実施形態によれば、ＵＥ２０において構成された、または構成されることになるＤＲＸ周期の重なりのない時間にわたってＤ２Ｄ動作およびセルラー動作を実施するためにＵＥ２０によって使用されるべき規則を取得すること（たとえば、自律的選択、ネットワークノードによって事前に定義または構成）と、第１の時間区分および第２の時間区分をＤＲＸ周期内に確定することであって、前記第１と第２の時間区分は時間が重ならず、前記第１と第２の時間区分がそれぞれＤ２Ｄ動作とセルラー動作に使用される、確定することと、確定された第１と第２の時間区分の中でそれぞれＤ２Ｄ動作とセルラー動作を実施することとを含む方法が開示されている。
【００７２】
他の実施形態は、Ｄ２Ｄ対応ＵＥ（たとえばＵＥ２０）にサービス提供するネットワークノードで実施される方法を対象としており、方法は、１つまたは複数の基準に基づいて、ＵＥにおいて構成された、または構成されることになるＤＲＸ周期の重なりのない時間にわたってＤ２Ｄ動作およびセルラー動作を実施するためのＵＥによって使用されるべき規則を決定することと、決定された規則をもつようにＵＥを構成することであって、前記規則は、ＵＥが第１の時間区分および第２の時間区分をＤＲＸ周期内に確定することを可能にし、前記第１と第２の時間区分は時間が重ならず、前記第１と第２の時間区分がそれぞれＤ２Ｄ動作とセルラー動作に使用される、構成することと、例示的な一実施形態に従い、１つまたは複数の基準に基づいて、ＵＥが重なりのない時間にわたってＤ２Ｄ動作およびセルラー動作を実施できるようにＤＲＸ周期構成を適合させることとを含む。
【００７３】
種々の実施形態による、「第１」および「第２」の重なりのない時間は、いずれかの特定の順序を示唆する必要はないことに留意されたい。当業者は、種々の通信ノード（たとえば、ＵＥまたは任意の他の局）が本明細書に記載の処理を実施し得ることを理解するであろう。
【００７４】
ＤＲＸにおける異なる動作タイプ間で時間を共有するためのＵＥおよびＵＥの動作方法の実施形態
既に検討したように、ＤＲＸにおける異なる動作タイプ（たとえば、セルラー動作とＤ２Ｄ動作）の間で時間を共有するためのＤ２Ｄ対応ＵＥまたはＤ２Ｄ  ＵＥであるＵＥ２０の動作方法の実施形態が開示されている。これらの実施形態では、ＵＥ２０は、ネットワークノード（たとえば、基地局もしくはｅＮＢ１６または一部の他のネットワークノード）によって、Ｄ２Ｄ動作のための少なくとも１つのＤＲＸ周期、ＤＬセルラー動作のための少なくとも１つのＤＲＸ周期（別のＤＲＸ周期）、またはＤ２Ｄ動作とＤＬセルラー動作の両方のための同じ（共通する）少なくとも１つのＤＲＸ周期をもつように構成されることが想定されている。ＤＲＸ周期をもつように構成されたＵＥ２０は、ＤＲＸ周期のオン期間に無線信号を受信する。ＵＥ２０は、Ｄ２Ｄ動作とセルラー動作が同時に生じないように、Ｄ２Ｄ動作およびセルラー動作のためのＤＲＸ周期において時間を分割する。Ｄ２Ｄ動作（送信および／または受信）は、以下のやり方の１つまたは複数でスケジューリングすることができる：ＵＥ２０によって自律的に構成される（たとえば、少なくともいくつかのスケジューリング関連のパラメータがＵＥ２０によって決められる）、別のＵＥ２０によって構成される、またはネットワークノード（たとえば、ｅＮＢ１６）によって構成される。Ｄ２Ｄ構成は、Ｄ２Ｄ動作に割り当てられたリソース（たとえば、サブフレーム、リソースブロック（ＲＢ）、シンボル、タイムスロットなど）を明示的に示すことができる。したがって、以下の説明では、Ｄ２Ｄ動作を適合させることは、いくつかの実施形態におけるＤ２Ｄ構成を適合させることを示唆することもある。
【００７５】
ＤＲＸにおいてＤ２Ｄ動作とセルラー動作との間で時間を分割することは、以下の例示的規則または原理の任意の１つまたは複数によって管理される。
【００７６】
例示的規則＃１−オン期間とオフ期間を使用：いくつかの例示的な実施形態または実装形態では、ＵＥ２０は、構成されたＤＲＸ周期のオン期間では、２つのタイプの信号（ＤＬセルラーまたはＤ２Ｄ）のうち、一度に一方のみを受信し、他方のタイプの信号がオフ期間に得られるのであれば、同じＤＲＸ周期のオフ期（すなわち、オン期間外）では、他方のタイプの信号を受信する。たとえば、ＵＥ２０は、ＤＲＸ周期のオン期間およびオフ期間にセルラー信号およびＤ２Ｄ信号を受信（たとえば、オン期間にセルラー信号、オフ期間にＤ２Ｄ信号、またはその逆で受信）することができる。
【００７７】
例示的規則＃１の１つの例を図６に示す。図６は、複数の連続するＤＲＸオン期間とオフ期間を示す。各ＤＲＸオン期間と対応するＤＲＸオフ期間がＤＲＸ周期をなす。連続するＤＲＸ周期は、本明細書においてＤＲＸパターンと呼ばれることがあり、対応するＤＲＸオン期間とＤＲＸオフ期間をそれぞれがもつ複数の連続するＤＲＸ周期を含む。この例では、ＵＥ２０は、ＤＲＸオン期間にセルラー動作（たとえば、セルラー信号の受信）を実施し、ＤＲＸオフ期間にＤ２Ｄ動作（たとえば、Ｄ２Ｄ信号の受信）を実施する。
【００７８】
数例を挙げて例示的規則＃１をさらに詳述する。第１の例では、ＵＥ２０は、ＤＬセルラー動作のみのためのＤＲＸ周期をもつように構成される。一例として、ＤＲＸ周期は６４０ミリ秒（ｍｓ）であり、２０ｍｓのオン期間をもつ。したがって、ＵＥ２０は、構成されたＤＲＸ周期のオン期間にＤＬセルラー信号を受信する。既存の解決策では、ＵＥ２０は、ＤＲＸ周期のオン期間中を含む任意の時間にＤ２Ｄ信号を受信することができる。しかしながら、本実施形態によれば、ＵＥ２０は、オン期間にＤＬセルラー信号のみを受信するが、ＵＥ２０は、ＤＲＸ周期のオフ期間にＤ２Ｄ信号を受信する。典型的には、Ｄ２Ｄ信号（たとえば、同期信号、ビーコン信号、発見信号など）が周期的に送信される。
【００７９】
第２の例では、ＵＥ２０は、ＤＬセルラー動作とＤ２Ｄ動作の両方のための共通ＤＲＸ周期をもつように構成される。一例として、ＤＲＸ周期はここでも６４０ｍｓであり、２０ｍｓのオン期間をもつ。ＵＥ２０は、自律的決定に基づいて、構成されたＤＲＸ周期のオン期間にＤＬセルラー信号のみを受信することを決める。既存の解決策では、ＵＥ２０は、ＤＬセルラー信号が受信される同じオン期間にＤ２Ｄ信号を受信することはできず、したがって、Ｄ２Ｄ信号の受信は起こらない。しかしながら、本実施形態によれば、ＵＥ２０は、ＤＲＸ周期のオフ期間にＤ２Ｄ信号の受信を試みることもある。Ｄ２Ｄ信号が得られる場合、ＵＥ２０はＤ２Ｄ信号を受信する。こうして、ＤＬセルラー動作およびＤ２Ｄ動作の性能が向上する。
【００８０】
例示的規則＃２−異なるオン期間の共有：一部の他の例示的な実施形態または実装形態では、ＵＥ２０は両タイプの信号を受信することができるが、異なるオン期間においてである（たとえば、あるＤＲＸ周期のオン期間でＤＬセルラー信号、次のＤＲＸ周期のオン期間でＤ２Ｄ信号を受信し、以下同様である）。別の例では、ＵＥ２０は、対応する連続するＤＲＸ周期の４つの連続するオン期間のうち３つでセルラー信号を受信することができ、一方でＵＥ２０は、対応する連続するＤＲＸ周期の４つの連続するオン期間のうち残りの１つでＤ２Ｄ信号を受信することができる。
【００８１】
例示的規則＃２の１つの例を図７に示す。この例は、以下でさらに説明する。ＵＥ２０はここでもＤＬセルラー動作とＤ２Ｄ動作の両方のための共通ＤＲＸ周期をもつように構成されると仮定する。ＤＲＸ周期は以前の例のものと同じである。ＵＥ２０は、ネットワークノードから受信した指示に基づいて、任意の４つの連続するＤＲＸオン期間のうち３つでＤＬセルラー信号を受信し、４つのＤＲＸオン期間のうち残りの１つでＤ２Ｄ信号を受信することを決める。ＵＥ２０は、ＤＬセルラー信号を受信するための３つの連続するＤＲＸオン期間および／またはＤ２Ｄ信号を受信するためのＤＲＸオン期間について報知されてもよい。ＵＥ２０は、事前に定義された規則に基づいて、ＤＬセルラーまたはＤ２Ｄに使用されるべきＤＲＸオン期間を決定することもでき、たとえば、ネットワークノードから指示を受信した後、まずは３つのＤＲＸオン期間とすることができる。したがって、ＵＥ２０は、異なるＤＲＸオン期間にＤＬセルラー信号とＤ２Ｄ信号を受信する。このように、ＵＥ２０は両タイプの信号を受信することが可能である。既存の解決策では、ＵＥ２０は、共通ＤＲＸ周期を含むこうしたシナリオにおいて、２つのタイプの信号のうち一方が得られない。ＤＬセルラー信号を一定のオン期間にスケジューリングできないことを補うために、たとえばネットワークノードは、ＤＬセルラー信号に使用されるオン期間において、より多くのリソース（たとえば、より多くのＲＢ、より大きなデータブロックサイズなど）をＵＥ２０に割り当ててもよい。こうして、ＵＥ２０のスループットは維持され、性能の低下を避けることができる。
【００８２】
例示的規則＃３−同じオン期間の共有：いくつかの実施形態または実装形態では、ＵＥ２０は、同じオン期間に両タイプの信号を受信することができるが、重なりのない時間においてである（たとえば、オン期間の最初の７０％でＤＬセルラー信号を受信し、同じオン期間の残りの３０％でＤ２Ｄ信号を受信する）。この例を図８に示す。この決定は、ＵＥ２０によって自律的になされるか、またはネットワーク制御されてもよく、たとえば、ネットワークノードは、そういった共有を許可しても許可しなくてもよく、または、許可される場合に、ネットワークノードは、共有の順番および／または量（たとえば、まずセルラー、次にＤ２Ｄ、セルラーに５０％、Ｄ２Ｄに５０％、またはセルラーに７０％、Ｄ２Ｄに３０％、など）を制御することもできる。
【００８３】
ある例においては、共有が許可されないか、またはセルラーＤＬに利用可能な時間（この例では２０ｍｓ外）が閾値を超えるケースで、既存のセルラー要件が適用され得る。しかし、ネットワークノードによって共有が許可されるか、またはＤＲＸオンの間のセルラーＤＬ用に残された時間が閾値を下回る場合、現時点のセルラー要件が確実に満たされたままとなるように、ＵＥ２０におけるどちらかの適合が必要になることがある（ＤＬセルラーにこのとき利用可能なサブフレームが少なくなっているため）か、または共有がない場合に比べて緩い第２の組の要件がＤＬセルラーに適用される。
【００８４】
例示的規則＃４−ある最短時間（Ｔｍｉｎ）および／または最長時間（Ｔｍａｘ）を第１と第２の重なりのない時間区分の間に確保すること：いくつかの実施形態では、第１と第２の重なりのない時間は、以下の条件の一方または両方が当てはまる時間（ｔ）によって時間的に隔てられるように構成される：
Ｔｍｉｎ≦ｔ、および
ｔ≦Ｔｍａｘ。
【００８５】
ある例では、この隔たりは、Ｄ２Ｄ動作とＤＬセルラー動作との間の関係によって決定されてもよく、たとえば、ＵＥ２０は、セルラーＤＬ制御チャネル（たとえば、ＰＤＣＣＨまたは発展もしくは拡張物理ダウンリンク制御チャネル（ＥＰＤＣＣＨ）など）を介して、またはＤＬ上位レイヤプロトコル（たとえばＲＲＣ）を介して、Ｄ２Ｄ動作に対するなんらかの補助または構成を受信するため、ＵＥ２０は、受信および受信した情報の処理に、ある程度の時間（たとえば、Ｔｍｉｎ＝４ｍｓ）を要することがある。
【００８６】
別の例では、ＵＥ２０は、セルラー動作の後、Ｔｍａｘを過ぎるとＤ２Ｄ動作（たとえば、データに関連するなんらかのＤ２Ｄをネットワークから受信すること）を実施する必要があり得、その逆も同様で、ＵＥ２０は、Ｄ２Ｄ動作の後、Ｔｍｉｎ以内になんらかのセルラー動作を誘発する必要があり得る。
【００８７】
さらに別の例では、最小時間間隔（Ｔｍｉｎ）は、高周波（ＲＦ）の性質により受信機のスイッチングに必要なことがある。
【００８８】
さらに別の例では、第１の理由（理由１）により必要とされるＴｍｉｎ１および第２の理由（理由２）により必要とされるＴｍｉｎ２が存在することがあり、したがって、得られるＴｍｉｎは、たとえば以下のように決定することができる：
Ｔｍｉｎ＝ｍａｘ（Ｔｍｉｎ１，Ｔｍｉｎ２）。
【００８９】
いくつかの実施形態では、たとえば２つの理由が異なるＤ２Ｄ動作に関連づけられているとき、ＵＥ２０は、さらに別の条件ａｂｓ（Ｔｍｉｎ２−Ｔｍｉｎ１）＜閾値、を適用することができる（あるいは、たとえば、第１のＤＲＸオフ期間に第１のＤ２Ｄ動作、また第２のＤＲＸオフ期間に第２のＤ２Ｄ動作のように、２つのＤ２Ｄ動作が隣接していない時間に行われてもよい）。
【００９０】
同様に、第１の理由（理由１）により必要とされるＴｍａｘ１および第２の理由（理由２）により必要とされるＴｍａｘ２が存在することがあり、したがって、得られるＴｍａｘは、たとえば以下のように決定することができる：
Ｔｍａｘ＝ｍｉｎ（Ｔｍｉｎ１，Ｔｍｉｎ２）。
【００９１】
いくつかの実施形態では、たとえば２つの理由が異なるＤ２Ｄ動作に関連づけられているとき、ＵＥ２０は、さらに別の条件ａｂｓ（Ｔｍａｘ２−Ｔｍａｘ１）＜閾値、を適用することができる（あるいは、たとえば、第１のＤＲＸオフ期間に第１のＤ２Ｄ動作、また第２のＤＲＸオフ期間に第２のＤ２Ｄ動作のように、２つのＤ２Ｄ動作が隣接していない時間に行われてもよい）。
【００９２】
例示的規則＃５−一定の順序を第１と第２の重なりのない時間の間に確保すること：いくつかの実施形態では、第１と第２の重なりのない時間は一定の順序で構成され、たとえば、第１の重なりのない時間（Ｄ２Ｄ動作用）が最初に現れ、その後の時間に、第２の重なりのない時間（セルラーＤＬ動作用）が現れる。さらに別の例では、順序は反対であってもよく、たとえば、第２の重なりのない時間が、第１の重なりのない時間の前の時間に現れる。
【００９３】
ある例においては、順序は、たとえば、ＵＥ２０のＤ２Ｄ動作とセルラー動作との間の関係によって決定されてもよい。たとえば、ＵＥ２０は、セルラーＤＬ（たとえば、ＲＲＣまたはＰＤＣＣＨ／ＥＰＤＣＣＨ）を介してＤ２Ｄ構成を受信する必要があることもあり、受信後、Ｄ２Ｄ構成に基づいてＤ２Ｄ動作を実施することができる。
【００９４】
例示的規則＃６−組み合わせ機構：さらに別の例では、ＵＥ２０は、例示的規則＃１から＃５について述べた各実施形態および各例のうちの任意の２つ以上を組み合わせることによって、これらのタイプの信号を受信することができる。
【００９５】
上記の例では、ＵＥ２０はＤＲＸ周期構成を検出し、ＤＲＸが受信するように構成されている信号が一方のみのタイプか両方のタイプかにかかわらず、重なりのない時間に２つのタイプの信号を受信できるように、自らの無線受信機を意図的に適合させる。
【００９６】
いくつかの実施形態では、Ｄ２Ｄ動作とＤＬセルラー動作との間で時間を分割するためにＵＥ２０によって使用されるべき上記の規則のいずれか１つは、以下の原理の１つまたは複数に基づいてＵＥ２０によって決められる：
・ＵＥ２０は自ら（自律的に）、たとえばＵＥバッテリ寿命に基づいて、使用する規則を決める。ＵＥバッテリ寿命が閾値を超える場合、ＵＥ２０は、例示的規則＃１を選び、オフ期間にＤ２Ｄで動作することができる。別の例として、いずれの規則を適用するかを決めるためにＵＥ２０が使用する基準は、Ｄ２Ｄ信号の取得可能性である。Ｄ２Ｄ信号がオン期間のみに得られる場合、ＵＥ２０は例示的規則＃２または例示的規則＃３を使用することができる。
・使用する規則は事前に定義されてもよい。たとえば、指定された規則が標準に１つのみ存在するケースでは、ＵＥ２０はこの規則を使用する。事前に定義された規則のさらに別の例は、ＵＥ２０が、ＤＲＸ周期のＤＲＸ周期長および／またはオン期間に応じてある規則を使用することである。たとえば、ＤＲＸオン期間が閾値を超える（たとえば、１０ｍｓを上回る）場合になってはじめて、ＵＥ２０は例示的規則＃３を使用する。事前に定義された規則のさらに別の例では、ＵＥ２０は、ＤＲＸ周期長に応じて規則を選ぶことができ、たとえば、ＵＥ２０は、ＤＲＸ周期が閾値（たとえば６４０ｍｓ）より大きいケースでは例示的規則＃１を使用する。ある１つまたは複数の規則は、ある条件が満たされたとき、かつ／もしくはあるシナリオで適用されてもよく、かつ／またはいくつかのイベントによって誘発されてもよい。
・ＵＥ２０が使用する規則はネットワークノードによって構成されてもよい。
・上記の任意の組み合わせ。たとえば、事前に定義された規則は、ある条件が満たされたときに常に適用されるが、その規則の少なくとも１つのパラメータ（たとえば閾値）は、ネットワークノードによって構成されるか、またはＵＥ２０によって自律的に選択される。
【００９７】
ＤＲＸ共有についての規則を選択するためにＵＥ２０が自律的に決定するケースでは、ＵＥ２０は、ネットワークノードおよび／または別のＵＥ２０に、ＵＥ２０によって使用されているか、または使用が予想される規則について報知することができる。ＵＥ２０は、ＵＥ２０が選択した規則に関連する１つまたは複数のパラメータの値をＵＥ２０に提供するようにネットワークノードに要求することもできる。
【００９８】
自律的に決定するケースであっても事前に定義された規則に基づくケースであっても、ＤＲＸ周期におけるＤ２Ｄ動作とＤＬセルラー動作との間の時間の共有を可能にする１つまたは複数のパラメータは、依然としてネットワークノードによってＵＥ２０において構成することができる。あるいは、パラメータ値は、ＵＥ２０自体によって、事前に定義されても自律的に決められてもよい。たとえば、ネットワークノードは、Ｄ２Ｄ動作とセルラー動作との間で時間を共有するためにＵＥ２０が使用できる本明細書に記載の方法のいずれか１つ（たとえば、例示的規則＃１から例示的規則＃６のうちのいずれか１つ）を指示することができる。ネットワークノードはまた、上記の例示的規則＃３のケースで、たとえば、Ｄ２Ｄ動作とセルラー動作との間でＵＥ２０によって分割されるべきオン期間内の時間量を指示することもできる。
【００９９】
図９は、上記の実施形態によるＵＥ２０の動作を示すフローチャートである。この処理は、ＵＥ２０によって行われるように記載されているが、ＵＥ２０に通信可能に結合された別のノードまたは処理ユニットによって行われてもよいことに留意されたい。図に示すように、場合により（すなわち、いくつかの実施形態において）、ＵＥ２０は、１つまたは複数のＤＲＸ周期共有規則／構成を取得する（ステップ１００）。既に検討したように、いくつかの実施形態では、ＵＥ２０は、ＤＲＸ共有規則を自律的に決定する。他の実施形態では、ＵＥ２０は、ＤＲＸ共有規則の指示をネットワークノードから受信する。さらに別の実施形態では、ＵＥ２０は、ＵＥ２０による自律的決定とネットワークノードから受信した情報の組み合わせによってＤＲＸ共有規則を取得する（たとえば、適用するＤＲＸ共有規則は自律的に決定するが、閾値またはパラメータ値はネットワークノードから受信する）。既に検討したように、ＤＲＸ共有規則は、以下を含むことができる：ＤＲＸオン期間およびＤＲＸオフ期間の使用を共有すること（すなわち、例示的規則＃１）、異なるＤＲＸオン期間を共有すること（すなわち、例示的規則＃２）、同じＤＲＸオン期間を共有すること（すなわち、例示的規則＃３）、Ｄ２Ｄ動作およびセルラー動作に使用されるＤＲＸ周期における重なりのない時間区分の間にＴｍｉｎおよび／もしくはＴｍａｘを確保すること（すなわち、例示的規則＃４）、一定の順序をＤ２Ｄ動作とセルラー動作との間に確保すること（すなわち、例示的規則＃５）、またはその任意の組み合わせ（すなわち、例示的規則＃６）。
【０１００】
ＵＥ２０は、たとえば、取得したＤＲＸ周期共有規則に従って、Ｄ２Ｄ動作およびセルラー動作を実施するために１つまたは複数のＤＲＸ周期内に重なりのない時間区分を確定する（ステップ１０２）。たとえば、ＵＥ２０は、セルラー動作のためのＤＲＸ周期内の第１の時間区分と、Ｄ２Ｄ動作のための同じＤＲＸ周期または異なるＤＲＸ周期内（実施形態またはＤＲＸ共有規則による）の第２の時間区分とを確定する。第１と第２の時間区分は重なっておらず、これにより、たとえば、ＵＥ２０がセルラー信号とＤ２Ｄ信号の一方しか一度に受信できない場合でも、ＵＥ２０はこれらのタイプの信号を両方受信することが可能である。
【０１０１】
次いで、ＵＥ２０は、ＤＲＸ周期内の確定された重なりのない時間区分の中でＤ２Ｄ動作およびセルラー動作を実施する（ステップ１０４）。限定はしないが、いくつかの実施形態では、Ｄ２Ｄ動作はＤ２Ｄ信号の受信を含み、セルラー動作はＤＬセルラー信号の受信を含む。
【０１０２】
ＤＬセルラー動作および／またはＤ２Ｄ動作を可能にするようにＤＲＸを適合させるためのネットワークノードおよびネットワークノードの動作方法の実施形態
いくつかの実施形態では、少なくとも１つのＤＲＸ周期をもつように構成された、または構成されることになるＤ２Ｄ対応ＵＥ２０にサービス提供するネットワークノード（たとえば、ｅＮＢ１６または一部の他のネットワークノード）が、ＤＲＸ周期においてＤ２Ｄ動作とセルラー動作との間で時間を共有するためにＵＥ２０によって使用されるべき１つもしくは複数の規則または前記規則に関連づけられた１つもしくは複数のパラメータをもつようにＵＥ２０を構成する。そのような規則または機構およびこれらの関連するパラメータのいくつかの例を後述する。ネットワークノードは、ＵＥ２０が既に規則をもつように構成されているか、またはＵＥ２０が事前に定義された原理に基づいて規則を使用するケースでは、規則の１つまたは複数のパラメータをもたせるだけでＵＥ２０を構成することができる。
【０１０３】
ネットワークノードは、セルラー動作およびＤ２Ｄ動作のためにＤＲＸ周期の時間を分割するのにＵＥ２０がどの規則を使用すべきかを、１つまたは複数の基準を使用して決めることができる。この基準の例は次の通りである：
・ＵＥ  Ｄ２Ｄ機能：たとえば、基準は、あるシナリオにおいて、かつ／またはある条件下で、あるＤ２Ｄ動作をＵＥ２０がサポートするかどうかを含むことがある。
・セルラーおよび／またはＤ２Ｄのバッファサイズなどのセルラートラフィックの量：たとえば、ＵＥ２０のためのＵＥバッファ（セルラートラフィックを含む）のサイズが閾値より大きい場合、ネットワークノードは、オン期間全体をセルラー動作に使用できるように、例示的規則＃１（前述）を使用するようにＵＥ２０を構成することができる。
・ＵＥバッテリ寿命および／または電力消費：ＵＥ２０のＵＥバッテリ寿命ステータスが閾値未満である、かつ／またはセルラー動作および／またはＤ２Ｄ動作により、ＵＥ２０によって予想される電力消費が閾値を超える場合、ネットワークノードは、例示的規則＃２または例示的規則＃３（前述）を使用することができる。これはＵＥバッテリ寿命を温存するためである。
・ＤＲＸ周期長：ＤＲＸ周期長が閾値を超える場合、ネットワークノードは、例示的規則＃１（前述）を使用するようにＵＥ２０を構成することができる。
・ＤＲＸ周期のオン期間の長さ：ＤＲＸ周期長が閾値を超える場合、ネットワークノードは、ＤＲＸオン期間が十分に長い、すなわち閾値、たとえば少なくとも２０ｍｓを超える場合にのみ例示的規則＃３を使用するようにＵＥ２０を構成することができる。
・Ｄ２Ｄ動作の機会：ネットワークノードは、規則を選択するときに、Ｄ２Ｄ動作の機会を考慮することもできる。たとえば、Ｄ２Ｄ信号がＤＲＸ周期のオフ期間にＵＥ２０によって受信され得る場合、ネットワークノードは、例示的規則＃１をもつようにＵＥ２０を構成することができる。
・ＵＥ無線受信機機能：たとえば、ＵＥ２０が、２つのタイプの信号の一方（Ｄ２Ｄ信号またはセルラー信号）しか同時に受信できない無線受信機を１つだけ、または限定された受信機機能（たとえば、限定された量のプロセッサおよび／またはメモリユニットなど）を有する場合に、ネットワークノードは、規則のいずれかを選択することができる。上記と異なる場合は、ネットワークノードは、ＵＥ２０がオン期間に両タイプの信号を同時に受信できるので、規則のいずれかを選択する必要はない。
・ＵＥに対するＤ２Ｄ動作とＤＬセルラー動作との間の関係：たとえば、ネットワークノードは、ＵＥ２０が、Ｄ２Ｄ動作を実施するために、セルラーリンクを介してなんらかの補助データまたはＤ２Ｄ構成を受信すると予想されるかどうかを検討することができる。
・ＵＥ状態：ＵＥ動作は（サポート／許可される動作、さらにはＵＥ２０構成が）さらに制限されることがあるので、たとえば、ネットワークノードは、ＵＥ２０がＲＲＣ＿ＩＤＬＥまたはＲＲＣ＿ＣＯＮＮＥＣＴＥＤになっているかどうかを検討することができる。
【０１０４】
ＤＲＸ共有の規則がネットワークノードによって選択された後、ＵＥ２０は、選択された規則をもつように構成され、選択された規則に関連づけられた１つまたは複数のパラメータをもつようにさらに構成されてもよい。
【０１０５】
図１０は、上記の実施形態の少なくともいくつかによる、ネットワークノードの動作を示すフローチャートである。既に検討したように、ネットワークノードは、ＵＥ２０によって使用されるべき１つまたは複数のＤＲＸ周期共有規則／構成を決定する（ステップ２００）。既に検討したように、ネットワークノードは、この決定のために、特定の実施形態または実装形態に応じてさまざまな基準を使用することができる。具体的には、ＤＲＸ周期共有規則（本明細書では時として簡単に規則またはＤＲＸ共有規則と呼ばれる）を決定するとき、ネットワークノードは、以下の１つまたは複数を検討してもよい：前述したような、ＵＥ２０のＤ２Ｄ機能、ＵＥ２０についてのセルラートラフィックの量、ＵＥ２０のバッテリ寿命および／または（予想される）電力消費、ＤＲＸ周期長、ＤＲＸオン期間の長さ、Ｄ２Ｄ動作の機会、ＵＥ２０の無線受信機機能、Ｄ２Ｄ動作とＤＬセルラー動作との間の関係、ならびにＵＥ２０のＵＥ状態。
【０１０６】
ネットワークノードは、決定されたＤＲＸ周期共有規則をもつようにＵＥ２０を構成する（ステップ２０２）。この構成は、任意の適切なシグナリング（たとえばＲＲＣシグナリング）を使用して行われてもよい。さらに、この構成は、ＤＲＸ周期共有規則の構成と、ＤＲＸ周期共有規則によって利用される任意のパラメータの構成の両方を含んでいてもよい。既に検討したように、ＤＲＸ周期共有規則は、ＵＥ２０が、異なるタイプの動作（たとえば、セルラー動作とＤ２Ｄ動作）を実施するための１つまたは複数のＤＲＸ周期内に重なりのない時間（ｔｙｐｅ）区分を決定できるようにする。
【０１０７】
場合により、いくつかの実施形態では、ネットワークノードは、ＵＥ２０のためのＤＲＸ周期共有規則および／またはＤＲＸ周期構成を適合させる（ステップ２０４）。いくつかの実施形態では、ＤＲＸ周期共有規則は、たとえば、ステップ２００について前述した基準の１つまたは複数の任意の組み合わせなどの任意の適切な基準に基づいて適合させられる。ＤＲＸ周期共有規則の適合は、たとえば、変化する条件に応答したＤＲＸ周期共有規則の動的調整を可能にする。いくつかの実施形態では、ＤＲＸ共有規則の適合に加えて、またはその代替として、ネットワークノードは、ＵＥ２０が重なりのない時間区分にわたってＤ２Ｄ動作およびセルラー動作を実施できるようにＤＲＸ周期を適合させる。このタイプの適合は以下でより詳細に検討する。しかしながら、概して、ＤＲＸ周期は、ＤＲＸオン期間を適合させ、Ｄ２Ｄ動作の機会に基づいてＤＲＸ周期を適合させ、かつ／またはＴｍｉｎおよび／もしくはＴｍａｘを満足するようにＤＲＸ周期を適合させることによって、適合させることができる。
【０１０８】
ＤＬセルラー動作および／またはＤ２Ｄ動作を可能にするためのネットワークノードおよびネットワークノードの動作方法の実施形態
いくつかの実施形態では、ＵＥ２０は、Ｄ２Ｄ動作および／またはセルラー動作のための少なくとも１つのＤＲＸ周期をもつようにネットワークノードによって構成された、または構成されることになることが想定されている。ＵＥ２０は、たとえば無線受信機機能が限られていることにより、ＤＲＸ周期において、Ｄ２Ｄ動作とセルラー動作との間で時間を共有すると予想されている。ネットワークノードはまた、ＵＥ２０がＤ２Ｄ信号とセルラー信号を同時に受信できないケースで、ＵＥ２０がＤ２Ｄ動作とセルラー動作との間で時間を共有できるように、少なくとも１つのＤＲＸ周期をもつように意図的にＵＥ２０を構成することもできる。
【０１０９】
ネットワークノードは、ＵＥ２０が、ＤＲＸで動作するときにＤ２Ｄ動作とセルラー動作との間で自らの無線受信機リソースをより効果的かつ効率的に共有するのを容易にするために、ＤＲＸ構成を適合させる。いくつかの実施形態では、ネットワークノードの動作方法は、図１１に示すように、以下のステップを含む。ネットワークノードは、ＵＥ２０が、Ｄ２Ｄ信号とセルラー信号の少なくとも一方を受信するためにＤＲＸに構成された、または構成されることになると判定する（ステップ３００）。ネットワークノードは、ＵＥ２０が、Ｄ２Ｄ動作および／またはセルラー動作のためにＤＲＸの中で時間を共有しているか、または共有することが予想されると判定する（ステップ３０２）。たとえば、ネットワークノードは、ＵＥ無線受信機機能またはＵＥ２０が２つのタイプの信号の一方しか受信できないというＵＥ２０からの指示に基づいて、これを判定することができる。ネットワークノードは、過去のデータまたはＵＥ２０の以前の動作に基づいて、ＵＥ２０が両タイプの信号を同時に受信できないと判定することもできる。
【０１１０】
ネットワークノードは、ＵＥ２０がＤＲＸにおいてＤ２Ｄ動作とセルラー動作との間で時間を共有できるように、１つまたは複数の基準に基づいて、既存のＤＲＸ周期構成を適合させるか、またはＵＥ２０のためのＤＲＸ周期を構成する（ステップ３０４）。この適合の例には、限定はしないが以下が含まれる：
・使用されるべき規則のタイプ：たとえば、ネットワークノードが例示的規則＃３（前述）を使用すると決めたケースで、ネットワークノードは、オン期間の長さを適合させる（たとえば、増加させる）ことができる。
・Ｄ２Ｄ動作の機会：たとえば、ネットワークノードは、ＵＥ２０がＤ２Ｄ信号を受信すると予想される機会を確定することができる。ネットワークノードは、事前に定義された情報、別のネットワークノードから、またはＵＥ２０から受信した指示の１つまたは複数に基づいて、Ｄ２Ｄ信号の機会を確定することができる。ネットワークノードは次いで、ＤＲＸ周期をもつようにＵＥ２０を構成するか、またはＵＥ２０がＤ２Ｄ信号を受信できるようにＤＲＸ周期パラメータを適合させる。たとえば、例示的規則＃１（前述）のケースで、ネットワークノードは、Ｄ２Ｄ信号が現時点のＤＲＸ周期と部分的または完全に重なる場合に、ＤＲＸ周期長の開始を延ばすか、またはずらすことができる。
・ＤＲＸ構成パラメータは、例示的規則＃４（前述）でＴｍｉｎおよびＴｍａｘに、かつ／または関連する場合に、例示的規則＃５（前述）によるＤ２Ｄ動作とセルラー動作の順序に適合されてもよく、たとえば、例示的規則＃３と例示的規則＃４を併せて適用するケースでは、ＤＲＸオン期はＴｍｉｎに適合させるために延長されてもよい。
【０１１１】
ＤＲＸにおいて異なる動作タイプの間で時間を共有することに関連するシグナリング機能のためのＵＥおよびＵＥの動作方法の実施形態
いくつかの実施形態によれば、ＵＥ２０は、ＵＥ２０がＤ２Ｄ信号とセルラー信号を同じ時間に受信しないように、Ｄ２Ｄ動作とセルラー動作との間でＤＲＸ周期の時間を共有することが可能かどうかを示す機能をネットワークノードまたは第２のＵＥ２０に知らせる。ネットワークノードまたは第２のＵＥ２０に知らされるＵＥ機能情報はまた、Ｄ２Ｄ動作とセルラー動作との間でＤＲＸ周期の時間を共有するためにＵＥ２０が使用できるのは規則または原理のどの１つまたは複数であるか（たとえば、上記の例示的規則＃１から＃６のどれであるか）を指示することもできる。機能は、ある搬送周波数／周波数帯および／またはこれらの組み合わせに適用されることもある。
【０１１２】
ＵＥ２０は、自律的に、ネットワークノードから受信した明確な要求に基づいて、イベントまたは条件によって誘発されて、セルに入る時点で他の機能とともに、またはＤ２Ｄ関連の機能をネットワークに指示するときに、機能情報をネットワークノードに知らせることができる。ネットワークノード（たとえば、ｅＮＢまたはコアネットワークノード）または第２のＵＥ２０は、受信したＵＥ機能情報を以下の目的の１つまたは複数のために使用することができる：
・機能情報を別のネットワークノードに送ること、たとえば以下のいずれかである：ｅＮＢまたは第２のＵＥ２０が機能情報を別のｅＮＢに送る、ｅＮＢまたは第２のＵＥ２０が機能情報をコアネットワーク（ＣＮ）ノード（たとえば、ＭＭＥまたはＰｒｏＳｅサーバ）に送る、ＣＮノードが機能情報をｅＮＢに送る、ｅＮＢが機能情報を第３のＵＥ２０に送る（たとえば、図２参照）、など。
・機能情報をメモリに格納し、後で読み出して使用すること。
・機能情報に基づいて、ＤＲＸで時間を共有するための基準または原理のうちＵＥ２０に用いられるべきなのはどれかを決めること。
・ＵＥ２０にセルラーおよび／またはＤ２Ｄスケジューリングを適合させること。
・ネットワークによってブロードキャストされるＤ２Ｄ関連のデータおよび構成を適合させること。
【０１１３】
図１２は、本開示のいくつかの実施形態による、機能情報をノードに送るＵＥ２０の動作を示す。図に示すように、ＵＥ２０は、ＤＲＸにおいて異なる動作タイプ間で時間を共有することに関連する機能情報を、別のノード２８に送る、すなわち送信する（ステップ４００）。この他のノード２８は、ネットワークノード（たとえばｅＮＢ１６）であっても別のＵＥ２０であってもよい。次いでノード２８は機能情報を利用し、かつ／または機能情報を別のノードに送る（ステップ４０２）。たとえば、既に検討したように、いくつかの実施形態においてノード２８はネットワークノードであり、ネットワークノードは、ＵＥ２０のためのＤＲＸ共有規則および／または関連パラメータを確定および／または適合させるために機能情報を利用する。他の実施形態では、ノード２８は別のＵＥ２０であり、ノード２８は、機能情報を別のノードに、たとえばネットワークノードに送る。
【０１１４】
図１３は、例示的な一実施形態による、本明細書に記載の非限定的な例示的実施形態の１つまたは複数で使用できるＵＥ２０の構成図である。ＵＥ２０は、いくつかの実施形態では、機械対機械（Ｍ２Ｍ）またはマシン型通信（ＭＴＣ）用に構成された移動デバイスであってもよい。ＵＥ２０は、ＵＥ２０の動作を制御する処理モジュール３０を備える。当業者には理解されるように、処理モジュール３０は、１つまたは複数のプロセッサ、すなわち、たとえば１つもしくは複数のマイクロプロセッサもしくは中央処理装置（ＣＰＵ）、１つもしくは複数の特定用途向け集積回路（ＡＳＩＣ）、１つもしくは複数のフィールドプログラマブルゲートアレイ（ＦＰＧＡ）、または１つもしくは複数の他のタイプの処理回路などのプロセッサ回路を含む。処理モジュール３０は、基地局１６および他のＤ２Ｄ対応ＵＥ２０から信号を受信するために使用されるか、またはこれらとの間で信号の送受信を行うために使用される、関連するアンテナ３４を備えた受信機または送受信機モジュール３２に接続されている。ＤＲＸを利用するために、処理モジュール３０は、指定した長さの時間の間、受信機または送受信機モジュール３２を非アクティブ化するように構成することができる。ＵＥ２０はまた、処理モジュール３０に接続され、ＵＥ２０の動作に必要とされるプログラムおよび他の情報およびデータを格納するメモリモジュール３６を備える。いくつかの実施形態では、ＵＥ２０は、場合により、ＵＥ２０の位置および移動速度を求めるために使用できる衛星測位システム（たとえばＧＰＳ）受信機モジュール（図示せず）を含んでいてもよい。
【０１１５】
いくつかの実施形態では、少なくとも１つのプロセッサによって実行されたときに、少なくとも１つのプロセッサに、本明細書に記載の実施形態のいずれかに従ってＵＥ２０の機能性を果たさせる命令を含むコンピュータプログラムが提供される。いくつかの実施形態では、上記のコンピュータプログラム製品を含むキャリアが提供される。キャリアは、電子信号、光信号、無線信号、またはコンピュータ可読記憶媒体（たとえば、メモリなどの一時的でないコンピュータ可読媒体）のうちの１つである。
【０１１６】
図１４は、本開示のいくつかの他の実施形態によるＵＥ２０の構成図である。この例では、ＵＥ２０は、ＤＲＸ共有規則取得モジュール３８（オプション）、ＤＲＸ時間区分確定モジュール４０、および実施モジュール４２を含み、これらはそれぞれ、本実施形態においてソフトウェアに実装される。ＤＲＸ共有規則取得モジュール３８は、上記のように１つまたは複数のＤＲＸ共有規則を取得するように動作する。ＤＲＸ時間区分確定モジュール４０は、たとえばＤＲＸ共有規則に基づいて、異なるタイプの動作（たとえば、セルラー動作とＤ２Ｄ動作）のための重なりのない時間区分を確定するように動作する。実施モジュール４２は、上記のように、重なりのない時間区分において異なるタイプの動作を実施する。
【０１１７】
図１５は、本明細書に記載の例示的実施形態で使用できる基地局１６（たとえばＮｏｄｅ−ＢまたはｅＮＢ）を示す。他のタイプのネットワークノードは類似の構成要素を含むことが理解されよう。マクロｅＮＢは実際はサイズおよび構造がマイクロｅＮＢと同一ではないが、図示のために、基地局１６は類似の構成要素を備えることが想定されていることも理解されよう。したがって、基地局１６は、基地局１６の動作を制御する処理モジュール４４を備える。当業者には理解されるように、処理モジュール４４は、１つまたは複数のプロセッサ、すなわち、たとえば１つもしくは複数のマイクロプロセッサもしくはＣＰＵ、１つもしくは複数のＡＳＩＣ、１つもしくは複数のＦＰＧＡ、または１つもしくは複数の他のタイプの処理回路などのプロセッサ回路を含む。処理モジュール４４は、セルラー通信ネットワーク１０においてＵＥ２０との間で信号の送受信を行うために使用される、関連するアンテナ４８を備えた送受信機モジュール４６に接続されている。基地局１６はまた、処理モジュール４４に接続され、基地局１６の動作に必要とされるプログラムおよび他の情報およびデータを格納するメモリモジュール５０を備える。基地局１６はまた、基地局１６が他の基地局１６と（たとえばＸ２インターフェースを介して）情報を交換できるようにするための構成要素および／または回路構成５２と、基地局１６がコアネットワーク１４におけるノードと（たとえばＳ１インターフェースを介して）情報を交換できるようにするための構成要素および／または回路構成５４とを備える。他のタイプのネットワーク（たとえば、ユニバーサル地上無線アクセスネットワーク（ＵＴＲＡＮ）またはＷＣＤＭＡ  ＲＡＮ）で使用するための基地局は、図１５に示したものに類似する構成要素と、これらのタイプのネットワークにおける他のネットワークノード（たとえば、コアネットワーク１４における他の基地局、移動管理ノード、および／またはノード）との通信を可能にするための適切なインターフェース回路構成５２、５４とを含むことが理解されよう。
【０１１８】
いくつかの実施形態では、少なくとも１つのプロセッサによって実行されたときに、少なくとも１つのプロセッサに、本明細書に記載の実施形態のいずれかに従って基地局１６（または他のネットワークノード）の機能性を果たさせる命令を含むコンピュータプログラムが提供される。いくつかの実施形態では、上記のコンピュータプログラム製品を含むキャリアが提供される。キャリアは、電子信号、光信号、無線信号、またはコンピュータ可読記憶媒体（たとえば、メモリなどの一時的でないコンピュータ可読媒体）のうちの１つである。
【０１１９】
図１６は、本開示のいくつかの他の実施形態による基地局１６の構成図である。この例では、基地局１６は、ＤＲＸ共有規則確定モジュール５６、ＤＲＸ共有構成モジュール５８、および適合モジュール６０（オプション）を含み、これらはそれぞれ、本実施形態においてソフトウェアに実装される。ＤＲＸ共有規則確定モジュール５６は、上記のようにＵＥ２０によって使用されるべき１つまたは複数のＤＲＸ共有規則を決定するように動作する。ＤＲＸ共有構成モジュール５８は、上記のように、決定したＤＲＸ共有規則をもつようにＵＥ２０を構成するように動作する。適合モジュール６０は、これも前述したように、いくつかの実施形態において、ＵＥ２０のＤＲＸ共有規則および／またはＤＲＸ構成を適合させるように動作する。
【０１２０】
本明細書に記載するように、本開示のいくつかの例示的、ただし非限定的な実施形態は以下の通りである。いくつかの実施形態では、方法は、ＵＥにおいて構成された、または構成されることになるＤＲＸ周期の重なりのない時間にわたってＤ２Ｄ動作およびセルラー動作を実施するためのＵＥによって使用されるべき規則を取得することと、第１の時間区分および第２の時間区分をＤＲＸ周期内に確定することであって、前記第１と第２の時間区分は時間が重ならず、前記第１と第２の時間区分がそれぞれＤ２Ｄ動作とセルラー動作に使用される、確定することと、確定された第１と第２の時間区分にそれぞれＤ２Ｄ動作とセルラー動作を実施することとを含む。いくつかの実施形態では、この方法はＵＥによって実施される。
【０１２１】
いくつかの実施形態では、ＵＥは、ＵＥにおいて構成された、または構成されることになるＤＲＸ周期の重なりのない時間にわたってＤ２Ｄ動作およびセルラー動作を実施するためのＵＥによって使用されるべき規則を取得するステップと、第１の時間区分および第２の時間区分をＤＲＸ周期内に確定するステップであって、前記第１と第２の時間区分は時間が重ならず、前記第１と第２の時間区分がそれぞれＤ２Ｄ動作とセルラー動作に使用される、確定するステップと、確定された第１と第２の時間区分にそれぞれＤ２Ｄ動作とセルラー動作を実施するステップとを実施するように構成された処理ユニットを備える。
【０１２２】
いくつかの実施形態では、Ｄ２Ｄ対応ＵＥにサービス提供するネットワークノードで実施される方法は、１つまたは複数の基準に基づいて、ＵＥにおいて構成された、または構成されることになるＤＲＸ周期の重なりのない時間にわたってＤ２Ｄ動作およびセルラー動作を実施するためのＵＥによって使用されるべき規則を決定することと、決定された規則をもつようにＵＥを構成することであって、前記規則は、ＵＥが第１の時間区分および第２の時間区分をＤＲＸ周期内に確定することを可能にし、前記第１と第２の時間区分は時間が重ならず、前記第１と第２の時間区分がそれぞれＤ２Ｄ動作とセルラー動作に使用される、構成することとを含む。いくつかの実施形態では、この方法は、１つまたは複数の基準に基づいて、ＵＥが重なりのない時間にわたってＤ２Ｄ動作およびセルラー動作を実施できるようにＤＲＸ周期構成を適合させることをさらに含む。
【０１２３】
いくつかの実施形態では、基地局は、１つまたは複数の基準に基づいて、ＵＥにおいて構成された、または構成されることになるＤＲＸ周期の重なりのない時間にわたってＤ２Ｄ動作およびセルラー動作を実施するためのＵＥによって使用されるべき規則を決定するステップと、決定された規則をもつようにＵＥを構成するステップであって、前記規則は、ＵＥが第１の時間区分および第２の時間区分をＤＲＸ周期内に確定することを可能にし、前記第１と第２の時間区分は時間が重ならず、前記第１と第２の時間区分がそれぞれＤ２Ｄ動作とセルラー動作に使用される、構成するステップとを実施するように構成された処理ユニットを備える。いくつかの実施形態では、処理ユニットは、１つまたは複数の基準に基づいて、ＵＥが重なりのない時間にわたってＤ２Ｄ動作およびセルラー動作を実施できるようにＤＲＸ周期構成を適合させるステップを実施するようにさらに構成されている。
【０１２４】
上記の方法およびシステムの結果、ＵＥは、セルラー動作とＤ２Ｄ動作との間で、２つの動作のいずれかの性能を所望のレベル未満に落とすことなく、自らの受信機を動的に共有することが可能になり得る。データを失わずにＤＲＸ構成を活用することによって、セルラー動作とともにＤ２Ｄ動作の全体的な性能利益が生じる。さらに、ネットワークは、ＵＥがＤ２Ｄ信号またはセルラー信号のうち、所与の時間または所与の用途に、より重要と考えられるほうを受信できるように、ＤＲＸ構成を適合させることができる。
【０１２５】
図における処理は、本開示の一定の実施形態で実施される動作の特定の順序を示すことがあるが、このような順序は例示的であることを理解されたい（たとえば、代替実施形態では、異なる順序で動作を実施すること、ある動作を組み合わせること、ある動作を重ねることなどができる）。
【０１２６】
いくつかの実施形態に関して本開示を説明してきたが、本開示は上記の実施形態には限定されず、添付の特許請求の範囲の趣旨および範囲の中で修正および変更して実践できることが当業者には認識されよう。したがって、説明は限定ではなく例示とみなされるべきである。
【０１２７】
以下の頭字語が本開示全体を通して使用されている。
・２Ｇ  第２世代
・３Ｇ  第３世代
・３ＧＰＰ  第３世代パートナーシッププロジェクト
・ＡＣＫ  肯定応答
・ＡＰＰ  アプリケーション
・ＡＳＩＣ  特定用途向け集積回路
・ＣＤＭＡ  符号分割多元接続
・ＣＮ  コアネットワーク
・ＣＰＵ  中央処理装置
・ＣＱＩ  継続的品質改善
・Ｄ２Ｄ  デバイスツーデバイス
・ＤＬ  ダウンリンク
・ＤＲＸ  間欠受信
・ｅＮＢ  発展または拡張Ｎｏｄｅ−Ｂ
・ＥＰＣ  発展または拡張パケットコア
・ＥＰＤＣＣＨ  発展または拡張物理ダウンリンク制御チャネル
・Ｅ−ＵＴＲＡＮ  発展または拡張ユニバーサル地上無線アクセスネットワーク
・ＦＤＤ  周波数分割複信
・ＦＰＧＡ  フィールドプログラマブルゲートアレイ
・ＧＰＳ  全地球測位システム
・ＧＳＭ  Ｇｌｏｂａｌ  Ｓｙｓｔｅｍ  ｆｏｒ  Ｍｏｂｉｌｅ  Ｃｏｍｍｕｎｉｃａｔｉｏｎｓ
・ＨＡＲＱ  ハイブリッド自動再送要求
・ＨＤ−ＦＤＤ  半二重周波数分割複信
・ＨＳＰＡ  高速パケットアクセス
・ＩＰ  インターネットプロトコル
・ＬＴＥ  Ｌｏｎｇ  Ｔｅｒｍ  Ｅｖｏｌｕｔｉｏｎ
・Ｍ２Ｍ  機械対機械
・ＭＡＣ  媒体アクセス制御
・ＭＭＥ  移動管理エンティティ
・ｍｓ  ミリ秒
・ＭＴＣ  マシン型通信
・ＮＡＣＫ  否定応答
・Ｏ＆Ｍ  運用保守
・Ｐ２Ｐ  ピアツーピア
・ＰＤＡ  携帯情報端末
・ＰＤＣＣＨ  物理ダウンリンク制御チャネル
・ＰＧＷ  パケット、またはパケットデータネットワーク、ゲートウェイ
・ＰＬＭＮ  公衆地上移動体通信網
・ＰｒｏＳｅ  近傍サービス
・ＱｏＳ  サービス品質
・ＲＡＮ  無線アクセスネットワーク
・ＲＡＴ  無線アクセス技術
・ＲＢ  リソースブロック
・ＲＦ  高周波
・ＲＬＣ  無線リンク制御
・ＲＮＣ  無線ネットワーク制御装置
・ＲＲＣ  無線リソース制御
・ＲＲＨ  リモート無線ヘッド
・ＲＲＭ  無線リソース管理
・ＲＴＴ  ラウンドトリップタイム
・ＳＡ  スケジューリング割り当て
・ＳＧＷ  サービングゲートウェイ
・ＳＯＮ  自己組織化ネットワーク
・ＴＤＤ  時分割二重通信
・ＵＥ  ユーザ機器
・ＵＬ  アップリンク
・ＵＴＲＡ  ユニバーサル地上無線アクセス
・ＵＴＲＡＮ  ユニバーサル地上無線アクセスネットワーク
・ＶｏＩＰ  ボイスオーバーインターネットプロトコル
・ＶＰＮ  仮想私設ネットワーク
・ＷＣＤＭＡ  広帯域符号分割多元接続
・ＷＬＡＮ  ワイヤレスローカルエリアネットワーク
【０１２８】
当業者は、本開示の実施形態に対する改良および修正を認識するであろう。すべてのそのような改良および修正は、本明細書において開示された概念の範囲および添付の特許請求の範囲に含まれると考えられる。
【図１】
0006522737.tif 000002
【図２】
0006522737.tif 000003
【図３】
0006522737.tif 000004
【図４】
0006522737.tif 000005
【図５】
0006522737.tif 000006
【図６】
0006522737.tif 000007
【図７】
0006522737.tif 000008
【図８】
0006522737.tif 000009
【図９】
0006522737.tif 000010
【図１０】
0006522737.tif 000011
【図１１】
0006522737.tif 000012
【図１２】
0006522737.tif 000013
【図１３】
0006522737.tif 000014
【図１４】
0006522737.tif 000015
【図１５】
0006522737.tif 000016
【図１６】
0006522737.tif 000017